(57)【要約】  順方向リンク及び／または逆方向リンクの干渉管理技術に基づくリユースファクタの最適化及び分散周波数計画を容易にするシステム及び方法論が記述されている。基地局に関する最適なリユースファクタは、近傍の基地局と関連するサービスのレベルを評価するメトリクスに基づいて決定されることができる。さらに、利用可能なリソースセットのサブセットは、基地局による使用に関して選択されることができ、したがって、リソースセットの基地局特有のコレクションは、このような選択を通じて形成されることができる。さらに、物理リソースのセットに対する各リソースセットのマッピングは、ネットワークまたはその一部で流布されることができる。他の例によれば、周波数ホッピングは、基地局特有のホッピングパターンで提供されるように、（１つのリソースセットより多くにわたるよりも）リソースセット内のリソースを使用するように抑制されることができる。
2010531580.tif 000002
【特許請求の範囲】
【請求項１】
無線通信環境中でユーザ割り当てに関して使用するためのリソースセットの分散選択を容易にする方法であって、
基地局特有のコレクションを形成するためにネットワークを介して、一般に定義されている１セットの利用可能なリソースセットからの第１のメトリクスに基づいてリソースセットのサブセットを選択し、
前記基地局特有のコレクションからのリソースセットに含まれるリソースをスケジュールされた送信に関してサービスを受けるアクセスターミナルに割り当てる、
ことを含む方法。
【請求項２】
前記第１のメトリクスは、順方向リンクのメトリクスである、請求項１の方法。
【請求項３】
１以上のアクセスターミナルからリソース特有のチャネル品質情報（リソース特有のＣＱＩ）レポートを受信し、
前記リソース特有のＣＱＩレポートの情報に基づいて前記基地局特有のコレクションを形成する前記リソースセットのサブセットを選択する、
ことをさらに含む請求項２の方法。
【請求項４】
順方向リンクのフラクショナル周波数リユースまたは逆方向リンクのフラクショナル周波数リユースに関する搬送波対干渉波（Ｃ／Ｉ）の調和平均値を最大化する基準を使用することにより前記リソースセットのサブセットを選択する、ことをさらに含む請求項２の方法。
【請求項５】
このリソースセットでスケジュールされるアクセスターミナル上で平均化される各リソースセットに関する長期間のＣ／Ｉの調和平均値を決定し、
最も高い長期間のＣ／Ｉの調和平均値を有するリソースセットを前記基地局特有のコレクションに加算する、
ことをさらに含む請求項４の方法。
【請求項６】
長期にわたって、前記長期間のＣ／Ｉの調和平均値を決定することを継続し、
前記基地局特有のコレクションに現在含まれている最も低いＣ／Ｉの調和平均値を有する第１のリソースセットを、前記基地局特有のコレクションから現在除かれている最も高いＣ／Ｉの調和平均値を有する第２のリソースセットに置き換える、
ことをさらに含む請求項５の方法。
【請求項７】
前記第１のメトリクスは、逆方向リンクのメトリクスである、請求項１の方法。
【請求項８】
少なくとも１つのChanDiff情報または逆方向リンクの干渉コマンドに関連する情報に基づいて、前記基地局特有のコレクションを形成する前記リソースセットのサブセットを選択する、ことをさらに含む請求項７の方法。
【請求項９】
１以上のアクセスターミナルから取得されたパイロットレポートに基づいて前記ChanDiff情報を生成し、
１以上の異なる基地局からの逆送を介して前記逆方向リンクの干渉コマンドに関連する前記情報を取得する、
ことをさらに含む請求項８の方法。
【請求項１０】
ChanDiffレポートの一部として１以上のアクセスターミナルから前記ChanDiff情報を取得し、
前記１以上のアクセスターミナルから前記逆方向リンクの干渉コマンドと関連する情報を取得する、
ことをさらに含む請求項８の方法。
【請求項１１】
送信パワースペクトル密度（ＰＳＤ）での変化を示す１セットのアクセスターミナルの中からレポートされたChanDiffの最小値を有する特定のアクセスターミナルを識別し、
前記基地局特有のコレクションから前記特定のアクセスターミナルに割り当てられる第１のリソースセットを削除し、
前記基地局特有のコレクションから現在除かれているリソースセットの中で最小の干渉レベルを有する第２のリソースセットを認識し、
前記基地局特有のコレクションに前記第２のリソースセットを加算する、
ことをさらに含むクレーム７の方法。
【請求項１２】
前記第１のメトリクスは、順方向及び逆方向リンクのメトリクスの組み合わせである、請求項１の方法。
【請求項１３】
少なくとも１つの近傍の基地局に関連するサービスのレベルを考慮する第２のメトリクスに基づいて、基地局に対応する最適なリユースファクタを決定する、ことをさらに含む請求項１の方法。
【請求項１４】
前記基地局特有のコレクションを形成するために利用可能なリソースセットの部分を選択する、ここで、前記部分は前記最適なリソースファクタに基づいている、ことをさらに含む請求項１３の方法。
【請求項１５】
順方向リンクのリソース特有のＣＱＩレポートに基づいて前記最適なリユースファクタを決定する、請求項１３の方法。
【請求項１６】
前記最適なリユースファクタを決定するために使用される前記第２のメトリクスは、前記少なくとも１つの近傍の基地局によってサービスを受けるアクセスターミナルで見られるＣ／I分散である、請求項１３の方法。
【請求項１７】
基地局のアクティブセットでサービスを受けないアクセスターミナルからリソース特有のＣＱＩに基づくＣ／I値を生成し、
各利用可能なリソースセットに関する前記基地局のアクティブセットで前記サービスを受けないアクセスターミナルのサブセットの中で最も小さいＣ／Ｉ値を決定し、
リソースセットが使用されている及び前記Ｃ／Ｉ値が前記与えられた閾値より下である場合、前記最適なリユースファクタを減少させ、
リソースセットが使用されていない及び前記Ｃ／Ｉ値が前記与えられた閾値より上である場合、前記最適なリユースファクタを増加させる、
ことをさらに含む請求項１３の方法。
【請求項１８】
前記最適なリユースファクタを決定するために使用される前記第２のメトリクスは、サービスを受けるデータレートを考慮する基準に基づき、前記方法は、
各基地局が共通のデータレートに従って最適化されると仮定し、
基地局のデータレートと近傍の基地局のデータレートとを比較し、
前記基地局の前記データレートで予期された変化と可能なリソースセット交換に関する前記データレートで予期された変化を決定し、
前記基地局が、前記比較と、前記基地局及び前記近傍の基地局の前記データレートで前記予期された変化と、に基づいて有利となると決定される場合、リソースセットを削除し、
前記基地局が、前記比較と、前記基地局及び前記近傍の基地局の前記データレートで前記予期された変化と、に基づいて不利となると決定される場合、リソースセットを取り込む、
ことをさらに含む請求項１３の方法。
【請求項１９】
少なくとも１つの前記スケジュールされた送信に関する基地局特有の周波数ホッピングパターンを長期にわたって使用する前記コレクションからの少なくとも１つの前記リソースセット内に割り当てられた前記リソースを変える、ことをさらに含む請求項１の方法。
【請求項２０】
基地局特有のコレクションを形成するためにネットワークを介して、一般に定義されている１セットの利用可能リソースセットからの第１のメトリクスに基づいて、リソースセットのサブセットの選択、及び前記基地局特有のコレクションからのリソースセットに含まれるリソースのスケジュールされた送信に関してサービスを受けるアクセスターミナルへの割り当て、に関連する命令を保持するメモリと、
前記メモリにつながれ、前記メモリに保持された前記命令を実行するために構成されたプロセッサと、
を備える無線通信装置。
【請求項２１】
前記第１のメトリクスは、順方向リンクのメトリクスである、請求項２０の無線通信装置。
【請求項２２】
前記メモリは、１以上のアクセスターミナルからのリソース特有のＣＱＩの受信、及び前記リソース特有のＣＱＩレポートの情報に基づいて前記基地局特有のコレクションを形成する前記リソースのサブセットの選択、に関連する命令をさらに保持する、請求項２１の無線通信装置。
【請求項２３】
前記メモリは、順方向リンクのフラクショナル周波数リユースまたは逆方向リンクのフラクショナル周波数リユースに関する搬送波対干渉波（Ｃ／Ｉ）の調和平均値を最大化する基準を使用することによる前記リソースセットのサブセットの選択に関連する命令をさらに保持する、請求項２１の無線通信装置。
【請求項２４】
前記メモリは、このリソースセット上でスケジュールされるアクセスターミナルで平均化される各リソースセットに関する長期間のＣ／Ｉの調和平均値の決定、前記基地局特有のコレクションに最も高い長期間のＣ／Ｉの調和平均値を有するリソースセットを加算、及び、長期にわたって前記長期間のＣ／Ｉの調和平均値を決定することの継続、前記基地局特有のコレクションに現在含まれる最も低いＣ／Ｉの調和平均値を有する第１のリソースセットを前記基地局特有のコレクションから現在除かれている最も高いＣ／Ｉの調和平均値を有する第２のリソースセットへの置き換え、に関連する指示をさらに保持する請求項２３の無線通信装置。
【請求項２５】
前記第１のメトリクスは、逆方向リンクのメトリクスである、請求項２０の無線通信装置。
【請求項２６】
前記メモリは、少なくとも１つのChanDiff情報または逆方向リンクの干渉コマンドに関連する情報に基づいて前記基地局特有のコレクションを形成する前記リソースセットのサブセットの選択に関連する命令をさらに保持する請求項２５の無線通信装置。
【請求項２７】
前記メモリは、送信パワースペクトル密度（ＰＳＤ）での変化を示す１セットのアクセスターミナルの中からレポートされたChanDiffの最小値を有する特定のアクセスターミナルの識別、前記基地局特有のコレクションから前記特定のアクセスターミナルに割り当てられる第１のリソースセットの削除、前記基地局特有のコレクションから現在除かれているリソースセットの中で最小の干渉レベルを有する第２のリソースセットの認識、及び、前記基地局特有のコレクションに前記第２のリソースセットの加算、に関連する命令をさらに保持する請求項２５の無線通信装置。
【請求項２８】
前記第１のメトリクスは、順方向及び逆方向リンクのメトリクスの組み合わせである、請求項２０の無線通信装置。
【請求項２９】
前記メモリは、少なくとも１つの近傍の基地局に関連するサービスのレベルを考慮する第２のメトリクスに基づく基地局に対応する最適なリユースファクタの決定、及び、前記基地局特有のコレクションを形成するために利用可能なリソースセットの部分の選択、ここで、前記部分は前記最適なリソースファクタに基づいている、に関連する命令をさらに保持する請求項２０の無線通信装置。
【請求項３０】
前記メモリは、アクセスターミナルから取得される順方向リンクのリソース特有のＣＱＩレポートに基づく前記最適なリユースファクタの決定に関連する命令をさらに保持するする請求項２９の無線通信装置。
【請求項３１】
前記最適なリユースファクタを決定するために使用される前記第２のメトリクスは、前記少なくとも１つの近傍の基地局によってサービスを受けるアクセスターミナルで見られるＣ／I分散である、請求項２９の無線通信装置。
【請求項３２】
前記メモリは、基地局のアクティブセットでサービスを受けないアクセスターミナルからリソース特定ＣＱＩに基づくＣ／I値の生成、各利用可能なリソースセットに関する前記基地局のアクティブセットで前記サービスを受けないアクセスターミナルのサブセットの中で最も小さいＣ／Ｉ値の決定、リソースセットが使用されている及び前記Ｃ／Ｉ値が前記与えられた閾値より下である場合、前記最適なリユースファクタを減少、及び、リソースセットが使用されていない及び前記Ｃ／Ｉ値が前記与えられた閾値より上である場合、前記最適なリユースファクタを増加、に関連する命令をさらに保持する請求項２９の無線通信装置。
【請求項３３】
前記最適なリユースファクタを決定するために使用される前記第２のメトリクスは、各基地局が共通のデータレートに従って最適化されると仮定するサービスを受けるデータレートを考慮する基準に基づき、前記メモリは、基地局のデータレートと近傍の基地局のデータレートとの比較、前記基地局の前記データレートで予期された変化と可能なリソースセット交換のための前記データレートで予想された変化の決定、前記基地局が、前記比較と、前記基地局及び前記近傍の基地局の前記データレートで前記予期された変化と、に基づいて有利となると決定される場合のリソースセットの削除、及び、前記基地局が、前記比較と、前記基地局及び前記近傍の基地局の前記データレートで前記予期された変化と、に基づいて不利となると決定される場合のリソースセットの取り込み、に関連する命令をさらに保持する請求項３３の無線通信装置。
【請求項３４】
前記メモリは、少なくとも１つの前記スケジュールされた送信に関する基地局特有の周波数ホッピングパターンを長期にわたって使用する前記コレクションからの少なくとも１つの前記リソースセット内に割り当てられた前記リソースの変化に関連する命令をさらに保持する請求項２０の無線通信装置。
【請求項３５】
無線通信環境中で利用するためにリソースセットのサブセットの適応的な選択を有効にする無線通信装置であって、
少なくとも１つの近傍の基地局と関連するサービスのレベルに基づくメトリクスの関数として基地局に関する最適なリユースファクタを識別するための手段と、
前記基地局特有のコレクションを形成するために、ネットワークを介して一般に定義されている利用可能なリソースセットの部分を選択するための手段と、ここで、前記部分は前記最適なリユースファクタに基づいている、
前記基地局特有のコレクションからの前記リソースセットに含まれるリソースを、サービスを受けるアクセスターミナルへ割り当てるための手段と、
を備えた無線通信装置。
【請求項３６】
取得された順方向リンクのリソース特有のＣＱＩレポートに基づいて前記最適なリユースファクタを決定するための手段をさらに備える請求項３５の無線通信装置。
【請求項３７】
前記最適なリユースファクタを決定するために使用される前記メトリクスは、前記少なくとも１つの近傍の基地局によってサービスを受けるアクセスターミナルで見られるＣ／I分散である、請求項３７の無線通信装置。
【請求項３８】
前記最適なリユースファクタを決定するために使用される前記メトリクスは、サービスを受けるデータレートを考慮する基準に基づく、請求項３５の無線通信装置。
【請求項３９】
前記最適なリユースファクタを調整するための手段をさらに備える請求項３５の無線通信装置。
【請求項４０】
リソースセット内で抑制される前記割り当てられたリソースと関連付けられた周波数ホッピングを使用するための手段をさらに備える請求項３５の無線通信装置。
【請求項４１】
１以上のアクセスターミナルから取得されたリソース特有のＣＱＩレポートに基づいて利用可能なリソースセットの前記部分を選択するための手段をさらに備える請求項３５の無線通信装置。
【請求項４２】
Ｃ／Ｉの調和平均値を最大化する基準を使用することによる利用可能なリソースセットの前記部分を選択するための手段をさらに備える請求項３５の無線通信装置。
【請求項４３】
ChanDiff情報、及びＦ−ＯＳＩＣＨ（Forward Link Other Sector Interference Channel）動作に関連する情報に基づいて利用可能なリソースセットの前記部分を選択するための手段をさらに備える請求項３５の無線通信装置。
【請求項４４】
少なくとも１つの異なる基地局と関連付けられたサービスのレベルを考慮する第１のメトリクスに基づいて、基地局に対応する最適なリユースファクタを決定するためのコードと、
物理リソースの特定のセットにそれぞれマップするために、ネットワークを介して一般に定義されている利用可能なリソースセットの部分を選択するためのコードと、ここで、前記部分は基地局特有のコレクションを生成するために選択され、前記部分は前記最適なリユースファクタの関数である、
を備えるコンピュータ可読媒体と、
備えるコンピュータプログラム製品。
【請求項４５】
前記コンピュータ可読媒体は、取得される順方向リンクのリソース特有のＣＱＩレポートに基づいて前記最適なリユースファクタを決定するためのコードをさらに備える請求項４４のコンピュータプログラム製品。
【請求項４６】
前記コンピュータ可読媒体は、前記少なくとも１つの近傍の基地局によってサービスを受けるアクセスターミナルで見られるＣ／Ｉ分散に基づいて前記最適なリユースファクタを決定するためのコードをさらに備える請求項４４のコンピュータプログラム製品。
【請求項４７】
前記コンピュータ可読媒体は、サービスを受けるデータレートを考慮する基準に基づいて前記最適なリユースファクタを決定するためのコードをさらに備える請求項４４のプログラム製品。
【請求項４８】
前記コンピュータ可読媒体は、時間の関数として前記最適なリユースファクタを調整するためのコードをさらに備える請求項４４のコンピュータプログラム製品。
【請求項４９】
前記コンピュータ可読媒体は、１以上のアクセスターミナルから取得されるリソース特有のＣＱＩレポートに基づいて利用可能なリソースセットの前記部分を選択するためのコードをさらに備える請求項４４のコンピュータプログラム製品。
【請求項５０】
前記コンピュータ可読媒体は、Ｃ／Ｉの調和平均値を最大化する基準を使用することによる利用可能なリソースセットの前記部分を選択するためのコードをさらに備える請求項４４の無線通信装置。
【請求項５１】
前記コンピュータ可読媒体は、少なくとも１つの受信されたまたは生成されたChanDiff情報、及び、少なくとも１つの逆方向リンクまたは逆送を介したＦ−ＯＳＩＣＨ動作に関連する情報に基づいて、利用可能なリソースセットの前記部分を選択するためのコードをさらに備える請求項４４のコンピュータプログラム製品。
【請求項５２】
無線通信システムにおいて、
少なくとも１つの近傍の基地局と関連するサービスのレベルを考慮するメトリクスに基づいて基地局に対応する最適なリユースファクタを決定し、
基地局特有のコレクションを形成するためにネットワークを介して、一般に定義されている利用可能なリソースセットの部分を選択し、ここで前記部分は前記最適なリユースファクタに基づいている、
前記基地局特有のコレクションからのリソースセットに含まれるリソースをスケジュールされた送信に関してサービスを受けるアクセスターミナルに割り当て、
少なくとも１つの前記スケジュールされた送信に関する基地局特有の周波数ホッピングパターンを長期にわたって使用する前記コレクションからの少なくとも１つの前記リソースセット内に割り当てられた前記リソースを変える、
ように構成されたプロセッサ、
を備える装置。
【発明の詳細な説明】
【技術分野】
【０００１】
［関連出願に対するクロスリファレンス］
本特許出願は、２００７年６月２０日に出願された「適応的な分散周波数計画に関する装置及び方法（ＭＥＴＨＯＤ  ＡＮＤ  ＡＰＰＡＲＡＴＵＳ  ＦＯＲ  ＡＤＡＰＴＩＶＥ  ＤＩＳＴＲＩＢＵＴＥＤ  ＦＲＥＱＵＥＮＣＹ  ＰＬＡＮＮＩＮＧ）」とタイトルをつけられた、米国仮出願番号６０／９４５，３２３の利益を要求する。前述の出願の全体は、参照されてこの中に組み込まれている。
【０００２】
以下の記述は、一般的にワイヤレス通信に関連し、特に、無線通信システムにおける分散された態様の適応的な周波数計画に関連する。
【背景技術】
【０００３】
無線通信システムは、様々なタイプの通信を提供するために広く展開され、例えば、音声及び／またはデータはそのような無線通信システムによって提供されることができる。典型的な無線通信システム、すなわちネットワークは、１以上の共用リソース（例えば帯域幅送信パワー）への複数ユーザアクセスを提供することができる。例えば、システムは、周波数分割多重（ＦＤＭ）、時分割多重（ＴＤＭ）、符号分割多重（ＣＤＭ）、直交周波数分割多重（ＯＦＤＭ）などのような様々な多重アクセス技術を使用することができる。
【０００４】
一般的に、無線多重アクセス通信システムは、多重アクセスターミナルに対する通信を同時にサポートできる。アクセスターミナルそれぞれは、順方向リンク及び逆方向リンクの送信によって１以上の基地局と通信できる。順方向リンク（あるいは下りリンク）は、基地局からアクセスターミナルへの通信リンクを指し、逆方向リンク（あるいは上りリンク）は、アクセスターミナルから基地局への通信リンクを指す。この通信リンクは、単入力単出力、多入力単出力、あるいは多入力多出力（ＭＩＭＯ）システムによって確立される。
【０００５】
ＭＩＭＯシステムは、一般に、データ通信用の複数の（ＮＴ）送信アンテナ及び複数の（ＮＲ）受信アンテナを使用する。ＮＴ個の送信及びＮＲ個の受信アンテナによって形成されたＭＩＭＯチャネルは、ＮＳ個の独立チャネルへ分解でき、そしてそれは、空間チャンルと呼ばれることができる。ここでＮＳ≦｛ＮＲ,ＮＲ｝である。ＮＳ独立チャネルそれぞれは１次元に相当する。さらに、もし複合の送信及び受信アンテナによって作られた追加の次元が利用されると、ＭＩＭＯシステムは、改善されたパフォーマンス（例えば、スペクトルの効率の増加、より高い処理能力及び／または、より大きな信頼性）を提供できる。
【０００６】
ＭＩＭＯシステムは、共通の物理媒体上の順方向及び逆方向リンクを分割するための様々な双方向技術を支援できる。例えば、周波数分割複信（ＦＤＤ）システムは、順方向及び逆方向リンク通信のための異なる周波数領域を利用できる。さらに、時分割複信（ＴＤＤ）システムで、順方向及び逆方向リンク通信は、相互主義が逆方向リンクチャネルから順方向リンクチャネルの推定を許可するように、共通の周波数領域を使用できる。
【０００７】
無線通信システムは、受信エリアを提供する１つ以上の基地局をしばしば使用する。典型的な基地局は、放送、マルチキャスト及び／またはユニキャストサービス用の多数のデータストリームを送信することができ、データストリームは、アクセスターミナルへの独立した受信利益になりえるデータのストリームかもしれない。そのような基地局の受信エリア内のアクセスターミナルは、１以上、あるいは全ての合成ストリームによって搬送さたデータストリームを受信するために使用されることができる。同様に、アクセスターミナルは、基地局または他のアクセスターミナルへデータを送信できる。
【０００８】
リソース計画（例えば周波数計画）は、異なる基地局との通信の使用のためのリソースを割り当てるために、無線通信システムで使用される。例えば、第１のリソースのコレクション（collection）は、第１の基地局との通信で使用されることができ（例えば、上りリンク及び／または下りリンク送信のために）、一方、第２のリソースのコレクションは、第２の基地局との接続に利用されることができる（例えば、上りリンク及び／または下りリンク送信のために）。一般に、上りリンク及び／または下りリンク通信をスケジュールする場合、リソース計画は、基地局それぞれがリソースセット（resource set）のコレクション及び／または、てこ入れ（leverage）するためのリユースファクタ（reuse factor）に関して定義済みの表示を得られることができる集中型の方法で有効にされ、したがって、特定の基地局は、この所定の表示に基づいたシステムに全体的に利用可能なリソースのサブセットを費やすことができる。
【０００９】
さらに、従来のリソース計画技術は、しばしば計画された配備に適用される。例として、計画された配備では、異なる基地局の受信範囲は、予測可能な方法で重複でき、したがって、古典的なリユーススキームに関する周波数計画に類似するフラクショナル（fractional）周波数計画が使用されることができる。さらに、与えられた基地局によって使用される全帯域幅の部分（fraction）であるリユースファクタは、配備トポロジーに基づいて計画された配備の中で予め計算されることができる。しかしながら、一般的な技術は、通常、計画されていない配備の中で直面する上りリンク及び／または下りリンクに関する悪い干渉条件を説明することができない。
【発明の概要】
【００１０】
下記は、実施形態の基本認識を提供するために、１以上の実施形態の単純化された要約を示す。
【００１１】
この要約は、すべての予期される実施形態の広い概要ではなく、すべての実施形態のキーや重大な要素を識別されるものでもなく、いずれかまたはすべての実施形態の目的を描写するものでもないことを意図されている。その唯一の目的は、後に示されるより詳細な記述の前置きである単純化された形式で１以上の実施形態のいくつかのコンセプトを示すことである。
【００１２】
１以上の実施形態及びそれに相当する開示にしたがって、様々な態様は、順方向リンク及び／または逆方向リンクのインターフェース管理技術に基づくリユースファクタの最適化及び分散周波数計画の利用を容易にすることに関して記述されている。基地局に関する最適なリユースファクタは、近傍の基地局に関連したサービスのレベルを評価するメトリクス（metric）に基づいて決定されることができる。さらに、利用可能なリソースのサブセットは、基地局による使用に関して選択されることができ、したがって、リソースセットの基地局特有のコレクションは、このような選択を介して形成されることができる。さらに、物理リソースのセットに対する各リソースセットのマッピング（mapping）は、ネットワークまたはその部分で流布されることができる。他の例によれば、周波数ホッピング（frequency hopping）は、基地局特有のホッピングパターンで提供されるように、（１つのリソースセットより多くにわたるよりも）リソースセット内のリソースを使用するように制約されることができる。
【００１３】
関連する態様によれば、無線通信環境中でユーザ割り当のために使用するリソースセットの分散選択を促進する方法がこの中で記述されている。その方法は、基地局特有のコレクションを形成するためにネットワークを介して一般に定義された利用可能リソースセットから第１のメトリクスに基づいたリソースセットのサブセットを選択することを含むことができる。さらに、その方法は、基地局特有のコレクションからスケジュールにされた送信に関してサービスを受ける（served）アクセスターミナルへのリソースセットに含まれたリソースを割り当てることを備えることができる。
【００１４】
他の態様は、無線通信装置に関連する。無線通信装置は、基地局特有のコレクションを形成するためにネットワークを介して一般に定義された利用可能なリソースセットのセットからの第１のメトリクスに基づいたリソースセットのサブセットを選択し、基地局特有のコレクションからのリソースセットに含まれるリソースを、スケジュールされた送信に関してサービスを受けるアクセスターミナルへ割り当てることに関連する命令を保持するメモリを含むことができる。さらに、無線通信装置は、メモリにつながれ、メモリの中で保持された命令を実行するように構成されたプロセッサを含むことができる。
【００１５】
しかし、他の態様は、無線通信環境中で利用するためにリソースセットのサブセットを適応的に選択することを可能にする無線通信装置に関連する。無線通信装置は、少なくとも１つの近傍の基地局に関連したサービスのレベルに基づいたメトリクスの関数として、基地局に関する最適なリユースファクタを確認するための手段を含むことができる。さらに、無線通信装置は、基地局特有のコレクションを形成するためのネットワークを介して一般に定義されている利用可能なリソースセットの部分を選択するための手段を含むことができる。ここで、部分とは最適なリユースファクタに基づいている。さらに、無線通信装置は、基地局特有のコレクションからのリソースセットに含まれるリソースを、サービスを受けるアクセスターミナルへ割り当てる手段を含むことができる。
【００１６】
まだ、他の態様は、コンピュータ可読媒体を含むことができるコンピュータプログラムプロダクトに関連する。コンピュータ可読媒体は、少なくとも１つの異なる基地局に関連しているサービスのレベルを考慮した第１のメトリクスに基づいて、基地局に対応する最適なリユースファクタの決定のためのコードを含むことができる。さらに、コンピュータ可読媒体は、物理リソースの特定のセットに対してそれぞれマップするために、ネットワークを介して一般に定義されている利用可能リソースセットの部分を選択するためのコードを含むことができる。ここで、部分とは、基地局特有のコレクションを生成するために選択されるものであり、最適なリユースファクタの関数である。
【００１７】
他の態様によると、無線通信システムでの装置は、プロセッサを含むことができ、ここでプロセッサは、少なくとも１つの近傍の基地局に関連したサービスのレベルを考慮したメトリクスに基づいて、基地局に対応する最適なリユースファクタを決定するように構成されることができる。プロセッサは、基地局特有のコレクションを形成するために、ネットワークを介して一般に定義されている利用可能なリソースセットの部分を選択するように構成されることもできる。さらに、プロセッサは、基地局特有のコレクションからスケジュールされた送信に関してサービスを受けるアクセスターミナルへのリソースセットに含まれるリソースを割り当てるように構成されることができる。さらに、プロセッサは、少なくとも１つのスケジュールされた送信のための基地局特有の周波数ホッピングパターンを長期にわたって使用するコレクションからのリソースセットの少なくとも１つの中で割り当てられたリソースを変えるように構成されることができる。
【００１８】
先の及び関連づけられた目的の達成のために、１以上の実施形態は、請求項で以下に完全に記述され、特に指摘される特徴を備える。
【００１９】
以下の記述及び添付された図面セットは、１以上の実施形態の特定の例となる態様を詳細に示す。しかしながら、これらの態様は、様々な実施形態の原理が用いられ、記述された実施形態がそのような態様及び同等なものを全て含むことが意図される様々な形式のほんの数例を表示する。
【図面の簡単な説明】
【００２０】
【図１】図１は、この中で示される種々の態様に従った無線通信システムを示す。
【図２】図２は、無線通信環境中で使用するために、１セットリソースセットからリソースセットのサブセットを適応的に選択するシステムの例を示す。
【図３】図３は、無線通信環境中で適応的な分散周波数計画を使用するシステムの例を示す。
【図４】図４は、無線通信環境中のリソースセット内で周波数ホッピングを使用するシステムの例を示す。
【図５】図５は、無線通信環境中に、分散方法で適応的にリユースファクタを選択するシステムの例を示す。
【図６】図６は、無線通信環境中でユーザ割り当てに関して使用するためのリソースセットの分散選択を容易にする方法論の例を示す。
【図７】図７は、無線通信環境中で分散周波数計画を使用することを容易にする方法論の例を示す。
【図８】図８は、無線通信システムのリソースセット内で周波数ホッピングを使用するアクセスターミナルの例を示す。
【図９】図９は、無線通信環境中で、分配方法で使用するためのリソースセットの部分を適応的に決定することを容易にするシステムの例を示す。
【図１０】図１０は、この中で記述された様々なシステム及び方法と共に使用されることができるワイヤレスネットワーク環境の例を示す。
【図１１】図１１は、無線通信環境中で利用するためのリソースセットのサブセットを適応的に選択することを可能にするシステムの例を示す。
【詳細な説明】
【００２１】
様々な実施形態は、図面を参照してここに記述されている、ここで、同じ参照符号は、全体にわたって同じ要素を参照するために使用される。以下の記述では、説明を目的とするため、多数の特有の詳細は、１以上の実施形態の完全な理解を提供するために示されている。しかしながら、そのような実施形態がこれらの特有の詳細なしに実行されるかもしれないことは明らかかだろう。他の例では、既知の構造及びデバイスは、１以上の実施形態を記述することを容易にするためにブロック図の形で示される。
【００２２】
本願中で使用さているように、用語「コンポーネント(component)」、「モジュール(module)」、「システム(system)」などは、ハードウェア、ファームウェア、ハードウェアとソフトウェアの組み合わせ、ソフトウェア、あるいは実行中のソフトウェアのいずれかのコンピュータ関連の構成に言及するように意図されている。例えば、コンポーネントは、限定されるものではないが、プロセッサ上でのプロセス実行、プロセッサ、オブジェクト、実行可能(executable)、実行のスレッド(thread)、プログラム及び／またはコンピュータであることができる。例として、コンピュータ装置上で動作するアプリケーション及びコンピュータ装置の両方は、構成要素になることができる。１以上の構成要素はプロセス及び／または実行のスレッド内に存在することができ、そして、コンポーネントは、１のコンピュータに集中されること及び／または２台以上のコンピュータ間に割り当てられることができる。さらに、これらのコンポーネントは、そこに格納された種々のデータ構造を有する種々のコンピュータ可読媒体から実行できる。コンポーネントは、１以上のデータパケット（例えば、ローカルシステムで、分散型システムで、及び／または信号経由で他のシステムとインターネットのようなネットワークを介して、やり取りする１のコンポーネントからのデータ）を有する信号に従うようにローカル及び／または遠隔プロセス経由で通信できる。
【００２３】
この中で記述された技術は、符号分割多元接続（ＣＤＭＡ）、時分割多重接続（ＴＤＭＡ）、周波数分割多元接続（ＦＤＭＡ）、直交周波数分割多元接続（ＯＦＤＭＡ）、シングルキャリア周波数分割多重接続（ＳＣ−ＦＤＭＡ）および他のシステムのような種々の無線通信システムに使用されることができる。「システム」及び「ネットワーク」という用語は、しばしば交換して使用される。ＣＤＭＡシステムは、ユニバーサル地上無線アクセス（Universal Terrestrial Radio Access）（ＵＴＲＡ）、ＣＤＭＡ２０００などのような無線技術を実行することができる。ＵＴＲＡは、Ｗｉｄｅｂａｎｄ−ＣＤＭＡ（Ｗ−ＣＤＭＡ）およびＣＤＭＡの他の変形を含む。ＣＤＭＡ２０００は、ＩＳ−２０００、ＩＳ−９５及びＩＳ−８５６標準をカバーする。ＴＤＭＡシステムは、モバイル通信のためのグローバルシステム（Global System for Mobile Communications）（ＧＳＭ）のような無線技術を実行できる。ＯＦＤＭＡシステムは、Ｅｖｏｌｖｅｄ  ＵＴＲＡ（e−UTRA）、ウルトラモバイルブロードバンド（ＵＭＢ）、IEEE  ８０２．１１（Wi−Fｉ）、ＩＥＥＥ  ８０２．１６（ＷｉＭＡＸ）、ＩＥＥＥ  ８０２．２０、ＦｌａｓｈＯＦＤＭなどのような無線技術を実行することができる。UTRA及びE−UTRAは、ユニバーサルモバイルテレコミュニケーションシステム（Universal Mobile Telecommunication System）（ＵＭＴＳ）の一部である。３GPP  ロングタームエボリューション（Long Term Evolution）（ＬＴＥ）は、下りリンクでＯＦＤＭ及び上りリンクでＳＣ−ＦＤＭＡを使用するＥ−ＵＴＲＡを使用するＵＭＴＳの近々公開されものである。
【００２４】
シングルキャリア周波数分割多重接続（ＳＣ−ＦＤＭＡ）は、シングルキャリア変調及び周波数領域等化（frequency domain equalization）を利用する。ＳＣ−ＦＤＭＡは、ＯＦＤＭＡシステムのもののように、同様のパフォーマンス及び本質的に同様の全体的な複雑さを有している。ＳＣ−ＦＤＭＡ信号は、その固有のシングルキャリア構造のために、より低いピーク対平均電力比（peak-to-average power ratio）（ＰＡＰＲ）を有している。ＳＣ−ＦＤＭＡは、例えば、より低いＰＡＰＲが送信電力効率の点からアクセスターミナルに非常に役立つ上りリンク通信で使用されることができる。したがって、ＳＣ−ＦＤＭＡは、３ＧＰＰ  ロングタームエボリューション（Long Term Evolution）（ＬＴＥ）あるいはＥｖｏｌｖｅｄ  ＵＴＲＡでの上りリンク多重接続スキームとして実行されることができる。
【００２５】
さらに、種々の実施形態は、アクセスターミナルに関してこの中に記述されている。アクセスターミナルは、システム、加入者ユニット、加入者局（subscriber station,）、移動局、移動体、遠隔局（remote station）、遠隔端末、モバイル装置、ユーザ端末、端末、無線通信装置、利用者エージェント、ユーザデバイスまたはユーザ装置（user equipment）と呼ぶこともできる。アクセスターミナルは、携帯電話、コードレス電話、セッション確立プロトコル（Session Initiation Protocol）（ＳＩＰ）電話、ワイヤレスローカルループ（ＷＬＬ）局、携帯情報端末（ＰＤＡ）、無線接続能力を持っているハンドヘルドデバイス、コンピュータデバイスまたは無線モデムに接続された他の演算処理デバイスであることができる。さらに、種々の実施形態は、基地局に関してこの中で記述されている。基地局は、アクセスターミナルと通信するために利用されることができ、アクセスポイント、ＮｏｄｅＢ、Ｅｖｏｌｖｅｄ  ＮｏｄｅＢ（ｅＮｏｄｅＢ）あるいは他の専門用語で呼ばれることができる。
【００２６】
さらに、この中で記述される種々の態様または特徴は、標準プログラムを使用する製品、装置あるいは方法及び／または工学技術として実行されることができる。この中で使用されるような用語「製品（article of manufacture）」は、任意のコンピュータ可読デバイス、キャリアまたは媒体からアクセス可能なコンピュータプログラムを包含するように意図されている。例えば、コンピュータ可読媒体は、磁気記憶デバイス（例えば、ハードディスク、フロッピー（登録商標）ディスク、磁気ストリップなど）、光ディスク（例えば、コンパクトディスク（ＣＤ）、デジタルバーサタイルディスク（ＤＶＤ）など）に限定されるものではなく、スマートカード及びフラッシュメモリデバイス（例えばＥＰＲＯＭ、カード、スティック、キーデバイスなど）を含むことができる。さらに、この中で記述されている種々の記憶媒体は、情報を格納するために１以上のデバイス及び／または他の機械可読媒体（machine-readable medium）を意味することができる。「機械可読媒体」の用語は、限定されることなく、命令及び／またはデータの搬送、含有及び／または格納できる無線チャネル及び種々の他の媒体を含むことができる。
【００２７】
ここで図１を参照すると、無線通信システム１００は、この中で示されている種々の実施形態に従って示されている。システム１００は、多数のアンテナグループを含むことができる基地局１０２を備える。例えば、１つのアンテナグループはアンテナ１０４及び１０６を含むことができ、他のグループはアンテナ１０８及び１１０を含むことができ、さらに他のグループはアンテナ１１２及び１１４を含むことができる。２本のアンテナは、各アンテナグループに関して示されるが、より多数またはより少数のアンテナが各グループのために利用されることができる。基地局１０２は、さらに送信器チェーン及び受信器チェーンを含むことができ、それぞれは、信号送信及び受信（例えば、プロセッサ、モジュレータ、マルチプレクサ、復調器、デマルチプレクサ、アンテナなど）と関連する複数のコンポーネントを交互に備え、このことは当業者に認識されるであろう。
【００２８】
基地局１０２は、アクセスターミナル１１６及びアクセスターミナル１２２のような１以上のアクセスターミナルで通信することができるが、基地局１０２がアクセスターミナル１１６及び１２２と類似する任意数のアクセスターミナルと十分に通信できることは認識されるだろう。アクセスターミナル１１６及び１２２は、無線通信システム１００で通信するための、例えば携帯電話、スマートフォン、ラップトップ、ハンドヘルド通信デバイス、ハンドヘルドコンピュータデバイス、衛星無線、グローバルポジショニングシステム（global positioning system）、ＰＤＡ及び／または他の最適なデバイスであることができる。描かれているように、アクセスターミナル１１６は、アンテナ１１２及び１１４と通信しており、ここで、アンテナ１１２及び１１４は順方向リンク１１８でアクセスターミナル１１６に情報を送信し、逆方向リンク１２０でアクセスターミナル１１６から情報を取得する。さらに、アクセスターミナル１２２は、アンテナ１０４及び１０６と通信しており、ここで、アンテナ１０４及び１０６は、順方向リンク１２４でアクセスターミナル１２２に情報を送信し、そして、逆方向リンク１２６でアクセスターミナル１２２から情報を取得する。周波数分割複信（ＦＤＤ）システムでは、例えば、順方向リンク１１８は逆方向リンク１２０によって使用されるのとは異なる周波数帯域を利用でき、順方向リンク１２４は逆方向リンク１２６によって使用されるのとは異なる周波数帯域を利用できる。さらに、時分割複信（ＴＤＤ）システムでは、順方向リンク１１８及び逆方向リンク１２０は共通の周波数帯域を利用でき、順方向リンク１２４及び逆方向リンク１２６は共通の周波数帯域を利用することができる。
【００２９】
アンテナの各グループ及び／またはそれらが通信するために指定されるエリアは、基地局１０２のセクタと呼ばれることができる。例えば、アンテナグループは、基地局１０２によってカバーされたエリアのセクタのアクセスターミナルと通信ように設計されることができる。順方向リンク１１８及び１２４による通信で、基地局１０２の送信アンテナは、アクセスターミナル１１６及び１２２に関する順方向リンク１１８及び１２４の信号対雑音比を改善するためのビームフォーミング（beamforming）を利用する。さらに、基地局１０２が対応する受信エリアを介してランダムに散在したアクセスターミナル１１６及び１２２に送信するためのビームフォーミングを利用している間、近くのセルのアクセスターミナルは、単一のアンテナを介してそのすべてのアクセスターミナルへ送信する基地局と比較して、干渉がより少なくなることができる。
【００３０】
システム１００は、分散周波数計画及び／またはリユースファクタの最適化のために順方向リンク及び／または逆方向リンクの干渉管理技術（interference management techniques）を使用する。したがって、計画されていない配備（例えば、悪い干渉条件が順方向リンク及び／または逆方向リンクに存在することができる）では、リソースセットのコレクションは、基地局１０２（例えば、コレクションでのリソースセットは、アクセスターミナル１１６、１２２に提供された順方向リンク及び／または逆方向リンクの割り当てのために使用されることができる）によって選択されることができる。さらに、異なる基地局（図示されていない）は、リソースセットのそれぞれのコレクションを同様に選択できる。したがって、従来の技術と比較して、システム１００は、（例えば、集中型のノード、デバイス、コントローラなどによる使用のための特定のリソースセットを割り当てられている各基地局などというよりも）分散リソースセットの選択をサポートする。
【００３１】
各基地局は、全体的に利用可能なリソースセット（例えば、各コレクションは、リソースセットの合計数のサブセット）／部分となることができる）のサブセットを使用できる。さらに、第１の基地局（例えば、基地局１０２、異なる基地局）によって選択される第１のコレクションは、少なくとも１つの実質的に同様なリソースセット及び／または、第２の基地局（例えば、異なる基地局、基地局１０２）によって選択される第２のコレクションと比較されるような少なくとも１つの異なるリソースセットを含むことができる。さらに、与えられた基地局によって選択されるコレクションでのリソースセットは、長期にわたって変化することができる（例えば、基地局１０２は、時間の関数としてそのそれぞれのコレクションでのリソースセットを適応的に加算する及び／または取り除くことができる）。
【００３２】
さらに、各基地局は、使用するべきそれぞれのリユースファクタを決定できる。リユースファクタは、対応する基地局（例えば、それぞれのコレクションに含まれることができる全体的に利用可能なリソースセットの部分）によって使用される全帯域の部分を決定する。したがって、基地局１０２は、それぞれのリユースファクタを決定するためにメトリクスをてこ入れすることができ、一方で、異なる基地局１０２は、異なるそれぞれのリユースファクタを決定するためにそのようなメトリクスを利用することができる。さらに、リユースファクタは、時間の関数として各基地局に関して適応的に選択されることができる。
【００３３】
ここで図２を参照すると、図示は、無線通信環境中での使用のための１つのリソースセットからリソースセットのサブセットを適応的に選択するシステム２００である。システム２００は、情報、信号、データ、命令、コマンド、ビット、シンボルなどを送信及び／または取得できる基地局２０２を含む。例えば、基地局２０２は、順方向リンク及び／または逆方向リンクを介して１以上のアクセスターミナル（図示しない）と通信する。さらに、図示されていないが、基地局２０２に類似する任意数の基地局がシステム２００（例えば、共通の無線通信環境）に含まれることができ、そして、これらの各基地局は下記に記述されるような順方向リンク及び／または逆方向リンクに関して利用するためのリソースセットのそれぞれのサブセットを同様に選択することができると検討される。
【００３４】
基地局２０２は、同期されたリソースセットデフィニション（synchronized resource set definition）２０４を含むことができる。
【００３５】
同期されたリソースセットデフィニション２０４は、基地局２０２及び／または異なる基地局のいずれかによって使用されることができる複数のリソースセット（例えば、リソースセット１、リソースセット２．．．、リソースセットＮ、ここでＮは実質的に任意の整数であることができる）に含まれる直交周波数分割多重接続（ＯＦＤＭＡ）単位（例えば、時間／周波数単位）を示すことができる。例えば、同期されたリソースセットデフィニション２０４は、基地局２０２のメモリ（図示しない）に保持されることができる。さらに、同期されたリソースセットデフィニション２０４は、基地局２０２及び任意の異なる基地局がそれぞれのメモリの中に保持される実質的に同様の同期されたリソースセットデフィニションを有するように、ネットワークを介して広く知られることができる。さらに、例として、リソースセットデフィニション２０４は、予め定義され、基地局２０２（例えば、ネットワークノード、異なる基地局から）の初期設定で受信され、（例えば、受信指示によって）更新され、などされることができる。
【００３６】
同期されたリソースセットデフィニション２０４での各リソースセットは、ネットワークまたはネットワークの部分を介してリソースの同様の物理セットにマップする。同期されたリソースセットデフィニション２０４に記述されるように、各リソースセットは、いくつかのインターレース上のサブゾーン（例えばサブ帯域）のコレクションである。さらに、サブゾーンは、物理（ＰＨＹ）フレームを介して１セットのロジカルトーン（logical tone）として定義されている。例えば、サブゾーンのサイズは６４トーン、１２８トーンなどになることができる。さらなる例として、３２の異なるリソースセットは、同期されたリソースセットデフィニション２０４（例えば、Ｎは３２と等しくなることができる）に示されることができ、ここで、８つのインターレースは４つのサブゾーンで使用され、それに応じて、３２のリソースセットは、〜３％の粒度で周波数を設計することが可能である。しかしながら、権利要求された内容は、前述の例に制限されていないことは認識されるだろう。
【００３７】
さらに、周波数計画は、すべての（あるいは大部分の）基地局（例えば、共通ネットワーク内の基地局２０２及び異なる基地局）の中ですべての（あるいは大部分の）可能なリソースセットの同じ（あるいは実質的に類似した）構造を定義することにより達成されることができる。さらに、周波数計画は、リソースセットの異なるコレクションを異なる基地局に割り当てることにより達成されることができる。分散計画モデルでは、基地局２０２（及び異なる基地局）は、１以上の関数（例えば、コスト関数）、基準（criteria）、メトリクス（例えば、順方向リンク、逆方向リンクリンク）などに基づいたリソースセットコレクションセレクタ２０６で関連付けられたコレクションから特別のリソースセットを取り込む（grab）及び／または削除する(drop)ことができる。
【００３８】
リソースセットコレクションセレクタ２０６は、基地局２０２に対応するリソースセットのコレクションに含めるための同期されたリソースセットデフィニション２０４に記述されたリソースセットのサブセットを選択する。例えば、リソースセットコレクションセレクタ２０６は、基地局２０２の初期設定でのコレクションに含められる１以上のリソースセットを選択できる。他の例によれば、リソースセットコレクションセレクタ２０６は、長期にわたって基地局２０２と関連付けられたコレクションから、リソースセットを適応的に加算する及び／または取り除くことができ、そして、それは、コレクションを環境条件の変化、サービスを受けるユーザ数（例えば、基地局２０２及び／または近傍の基地局）、干渉の変化、異なる基地局のコレクションへの交替などに基づいて更新されることを可能にすることができる。さらに、無線通信環境／ネットワーク中の異なる基地局は、それらと関連付けられたそれぞれのリソースセットコレクションセレクタを使用でき、そして、それは、それぞれのコレクションに含まれるような同期されたリソースセットデフィニションと一般に理解されるように定義された利用可能なリソースセットのそれぞれのサブセットを選択するために、それぞれ、リソースセットコレクションセレクタ２０６と類似する。
【００３９】
例えば、リユースファクタは、基地局２０２によって使用されることができる全帯域幅の部分を特定できる。したがって、基地局２０２に関するリソースセットのコレクションを形成する場合、リソースセットコレクションセレクタ２０６はリユースファクタを使用できる。例として、リユースファクタは、同期されたリソースセットデフィニション２０４に示されるようなリソースセットの合計数のＸ％が基地局２０２によって使用されることができることを示し、ここでＸは、実質的に１００より小さく０より大きい任意の実数であることができる。したがって、リソースセットコレクションセレクタ２０６は、基地局２０２に関するコレクションに含められるリソースセットの合計数のＸ％を選択できる（例えば、リソースセットの合計数の選択されたＸ％が基地局２０２に関して選択されるリソースセットのサブセットでることができる）。リソースセットコレクションセレクタ２０６は、順方向リンクのメトリクス及び／または逆方向リンクのメトリクスに基づいてリソースセットの合計数のＸ％を選択できる。さらに、リソースセットの合計数の残りの１００−Ｘ％は、全体的なネットワークのスループット（throughput）（例えば、悪い干渉条件で近傍の基地局をユーザにサービスを提供することを許可すること）を向上させるための（例えば、リソースセットコレクションセレクタ２０６によって生じさせられるコレクションから除外される）基地局２０２によって未使用のままとなることができる。システム２００は、各基地局が未使用の全体的なシステムリソースの特定の割合を有することができる分散フラクショナル周波数リユースシステムでありえ、したがって、近傍の基地局が少なくともそのような未使用リソースの部分でユーザをスケジュールすることを許可する。さらに、システム２００は、分散干渉管理（distributed interference management）を提供できる。
【００４０】
リユースファクタが基地局２０２に一意、または、基地局２０２を含む複数の基地局に共通であることができることは認識されるだろう。さらに、リユースファクタが静的に基地局２０２に割り当てられ、及び／または動的に基地局２０２に割り付けられると検討される。さらなる例として、基地局２０２に関する最適なリユースファクタは、下記に記述されるような分散方法で基地局２０２によって動的に決定されることができる。
【００４１】
基地局２０２は、リソースセットコレクションセレクタ２０６によって生成されるコレクションから、基地局２０２によってサービスを受ける１以上のアクセスターミナル（図示しない）にリソースセットをスケジュールするスケジューラ２０８をさらに含むことができる。スケジューラ２０８は、順方向リンク及び／または逆方向リンク送信に関するコレクションに含まれるリソースセットを割り付けることができる。したがって、基地局２０２に対する特有のリソースセットのコレクションを形成するリソースセットコレクションセレクタ２０６によって、スケジューラ２０８は、順方向リンク及び／または逆方向リンク通信のための近傍内のアクセスターミナルにリソースセットを割り当てることができる。
【００４２】
この中で記述されている適応的な分散周波数計画がウルトラモバイルブロードバンド（Ultra Mobile broadband）（UMB）ベースシステムと共に利用されることができると認識されるだろう。他の例によれば、この中で記述されている適応的な分散周波数計画は、ロングタームエボリューション（Long Term Evolution）（ＬＴＥ）ベースシステムと共に使用されることができる。しかしながら、権利要求された内容は、ＵＭＢまたはＬＴＥベースシステム中で使用されることに制限されない。
【００４３】
図３を参照すると、図は、無線通信環境中での適応的な分散周波数計画を使用するシステム３００である。システム３００は、２つの基地局（例えば基地局１  ３０２及び基地局２  ３０４）を含み、それらの各々は、図２の基地局２０２に実質的に類似することができる。さらに、各基地局は、それぞれの受信エリア内に位置することができる２つのアクセスターミナルと通信できる（例えば、アクセスターミナル１  ３０６及びアクセスターミナル２  ３０８は基地局１  ３０２に関連した受信エリア内に位置することができ、そして、順方向リンク及び／または逆方向リンクチャネルを介して基地局１  ３０２とそれぞれ通信することができ、アクセスターミナル３  ３１０及びアクセスターミナル４  ３１２は基地局２  ３０４に関連した受信エリア内に位置することができ、そして、順方向リンク及び／または逆方向リンクチャネルを介して基地局２  ３０４とそれぞれ通信することができる）。したがって、アクセスターミナル１  ３０６及びアクセスターミナル２  ３０８は、基地局１  ３０２によってサービスを受けることができ、アクセスターミナル３  ３１０及びアクセスターミナル４  ３１２は基地局２  ３０４によってサービスを受けることができる。さらに、アクセスターミナル３０６−３１２は、情報、信号、データ、命令、コマンド、ビット、シンボルなどをそれぞれ送信及び／または受信できる。２つの基地局３０２−３０４及び４つのアクセスターミナル３０６−３１２を含んでいるようにシステム３００は描かれているが、システム３００が基地局３０２−３０４に実質的に類似することができるかなりの任意数の基地局及び／またはアクセスターミナル３０６−３１２に実質的に類似することができるかなりの任意数の基地局を含むことができることは認識されるだろう。
【００４４】
基地局１  ３０２は、同期されたリソースセットデフィニション２０４、リソースセットコレクションセレクタ１  ３１４及びスケジューラ１  ３１６を含むことができ、基地局２  ３０４は、同期されたリソースセット定義２０４、リソースセットコレクションセレクタ２  ３１８及びスケジューラ２  ３２０を含むことができる。リソースセットコレクションセレクタ１  ３１４及びリソースセットコレクションセレクタ２  ３１８は、図２のリソースセットコレクションセレクタ２０６にそれぞれ実質的に類似することができ、そして、スケジューラ１  ３１６及びスケジューラ２  ３２０は、図２のスケジューラ２０８にそれぞれ実質的に類似することができると認識されるだろう。さらに、基地局１  ３０２及び基地局２  ３０４は、同期されたリソースセットデフィニション２０４の共通の理解を有することができる。
【００４５】
示されるように、基地局３０２−３０４に関連したセルは共通の境界を有することができる。もしリソースセットの同じコレクションが両方の基地局３０２−３０４に対して使用されるならば、そのとき、著しい量の干渉が生じさせられることができる。例えば、アクセスターミナル２  ３０８及びアクセスターミナル３  ３１０は互いに密接した近傍内であることができる。基地局１  ３０２が特定のリソースセットを使用してアクセスターミナル２  ３０８に送信する場合、アクセスターミナル３  ３１０は特定のリソースセットでの著しい干渉に直面することができる。正確に言えば、基地局１  ３０２は、特定のリソースセットでの低送信電力と基地局１  ３０２（例えば、アクセスターミナル１  ３０６）に密接した近傍内にいるユーザをスケジュールでき、したがって、近傍のセル（例えば基地局２  ３０４）によって利用されるこれらのリソースセットを生成する。さらに、基地局１  ３０２は、近傍の基地局（例えば、基地局２  ３０４）によってサービスを受けるユーザが、そのようなリソースセットでスケジュールされないであろう、または、これらの近傍の基地局の密接した近傍内で低送信電力でユーザが管理されるであろうと仮定する他のリソースセットでの高送信電力（例えば、アクセスターミナル２  ３０８のようにセルの境界により近くに位置する）でユーザを管理できる。従って、異なるリソースセットは、使用するために選択されることができ、異なる基地局３０２−３０４によって使用されることができ、したがって、基地局３０２に関する与えられるリソースセットの割り当てを許可する一方、そのような与えられたリソースセットは、使用を妨げられることができ、または基地局２  ３０４に関して適度に使用されることができる（例えば、同期されたリソースセットデフィニション２０４で明確にされるように、各リソースセットは、同じ物理リソースアクロスシステム３００にマップする）。
【００４６】
例によれば、基地局３０２−３０４（例えば、リソースセットコレクションセレクタ３１４及び３１８）は、順方向リンクのメトリクスに基づいて適応的な分散周波数計画を使用できる。この例に従うと、各リソースセットコレクションセレクタ３１４、３１８は、リソースセットそれぞれから加算する及び／または削除されるリソースセットで決定するために長時間の搬送波対干渉波（Ｃ／Ｉ）レポートを使用できる。例えば、アクセスターミナル３０６−３０８は、特有のリソースセットに関する各アクセスターミナル３０６−３０８で観測される長期間のチャネル品質それぞれを記述する基地局１  ３０２にリソース特有のチャネル品質情報（resource specific Channel Quality Indicator）（リソース特定ＣＱＩ）レポート（例えば、ベクトル化されたチャネル品質情報（ＶＣＱＩ）レポート）を生成することができ、そして、送出することができる。同様に、アクセスターミナル３１０−３１２は、特有のリソースセットに関する各アクセスターミナル３１０−３１２で観測されるそれぞれのチャネル品質を記述する基地局２  ３０４にリソース特定ＣＱＩレポートを生成することができ、そして、送出することができる。リソース特有のＣＱＩレポートは、典型的なリソースセット仕様ではない通常のチャネル品質情報（ＣＱＩ）レポートに相対するものとして使用されることがでる。より正確には、リソース特有のＣＱＩレポートは、リソースセット仕様であり、したがって、アクセスターミナル３０６−３１２はリソース特有のＣＱＩレポートをそれぞれの基地局３０２−３０４にフィードバックすることができ、リソース特定ＣＱＩレポートは、リソースセットのコレクションそれぞれの情報を調整するためのリソースセットコレクションセレクタ３１４、３１８によって利用されることができる。
【００４７】
順方向リンクのメトリクスをてこ入れする先の例に従うと、コレクションに関するリソースセットを適応的に選択するためにリソースセットコレクションセレクタ３１４、３１８によって使用される可能な基準は、Ｃ／Ｉの調和平均値を最大化することができるが、権利要求された内容がＣ／Ｉの調和平均値の最大化の使用に限定されないことは、認識されるだろう。Ｃ／Ｉの調和平均値の最大化は、順方向リンクスケジューリング及び逆方向リンクスケジューリングに関して使用されるリソースセットのどれに関連するか決定するのに使用されることができる。例えば、この順方向リンクのメトリクスは、順方向リンクのフラクショナル周波数リユース（forward link fractional frequency reuse）(FFR)のために使用されることができる（例えば、順方向リンクでのスケジューリング）。従って、リソースセット上のＣ／Ｉの調和平均は、基地局がこれらのアクセスターミナル全てに関する同様のＣ／Ｉ値を目的にする場合、このリソースセットでスケジュールされるアクセスターミナルの集合によって達成されるＣ／Ｉ値を反映する。例によれば、ボイスオーバーインターネットプロトコル（Voice over Internet Protocol）（ＶｏＩＰ）、固定サービス要求トラヒック（fixed service requirement traffic）などのようなトラヒック（traffic）がスケジュールされる場合、電力制御は、特有のＣ／Ｉ値で与えられたレートを生じさせるために達成されることができ、Ｃ／Ｉの調和平均はこの特有のＣ／Ｉ値を記述できる。このように、Ｃ／Ｉの調和平均は、このリソースセットで見られる最も悪いＣ／Ｉによって支配され、ここで、Ｃ／Ｉの調和平均は、最低のレート要求シナリオにおける良いメトリクスであることができる。さらなる例として、順方向リンクのメトリクスは、逆方向リンクＦＦＲ（例えば、逆方向リンクでのスケジューリング）に関して使用されることができる。この例に準じて、リソースセット上のＣ／Ｉの調和平均は、アクセスターミナルがサービスを提供する基地局で固定されたターゲットに電力コントロールされる場合、すべてのサービスを提供しない基地局にこのリソースセットでスケジュールされる全てのアクセスターミナルによる干渉の合計を反映す
る。従って、Ｃ／Ｉの調和平均は、逆方向リンクＦＦＲに関して使用される場合、もし与えられたリソースセット上でスケジュールされれば、平均的なネットワーク内で近傍の基地局、セルなどに寄与するであろう干渉するユーザの量の概算見積を提供することができる、例えば、もし順方向リンク上のＣ／Ｉの調和平均が特有のリソースセットに関して悪ければ、そして、もしそのリソースセットが使用のために選択されるつもりであれば、近傍にとってより多くの干渉を生成されるであろうし、そして、それは、ネットワークの観点から特有のリソースセットの粗末な（poor）使用になり得る。したがって、逆方向リンクＦＦＲに関して使用される場合、Ｃ／Ｉの調和平均は、ネットワークでの逆方向リンクトラヒック干渉の合計の良い指標を提供することができる。
【００４８】
Ｃ／Ｉの調和平均を利用する順方向リンクのメトリクスをてこ入れする例に従って、基地局は、このリソースセットでスケジュールされるアクセスターミナル上で平均化される各リソースセットに関する長時間のＣ／Ｉの調和平均値を計算できる。さらに、現在使用されていないリソースセット（例えば、基地局に関連するコレクションに現在含まれていないリソースセット）について、基地局は、もし特有のリソースセットが利用可能であったなら、スケジュールされるであろうアクセスターミナルで平均化される各リソースセットに関する長時間のＣ／Ｉの調和平均値を計算できる。さらに、先の検討に基づいて、基地局は、低いＣ／Ｉの調和平均を有するコレクションのリソースセットを高い平均Ｃ／Ｉを有するコレクションから以前に除外されたリソースセットに置き換えることができる（例えば、最も低いＣ／Ｉの調和平均を有するコレクションのリソースセットが、最も高いＣ／Ｉの調和平均を有するコレクションの中に予め存在しないリソースセットによるコレクションで置き換えられる）。さらに、そのような置換の周波数は、コントロールされることができる（例えば、リソースセット置換間の最少時間はプリセットされることができ、適応的に決定されることができる）。
【００４９】
他の例によれば、基地局３０２−３０４（例えば、リソースセットコレクションセレクタ３１４および３１８）は、逆方向リンクのメトリクスに基づいて適応的な分散周波数計画を使用することができる。各リソースセットコレクションセレクタ３１４及び３１８は、それぞれのコレクションから加算される及び／または削除されるリソースセットで決定するためのF-OSICH（Forward Link Other Sector Interference Channel）動作の指示及び／またはChanDiffレポートを使用することができる。ChanDiffは、サービスを提供するセクタ及び次の最も強いセクタの間の経路損失の差として定義され、したがって、ChanDiffは、アクセスターミナルが最も密接した近傍に寄与している干渉量の表れを提供することができる。
【００５０】
例えば、アクセスターミナルは、ＰＳＤ変化の場合における最新の送信パワースペクトル密度（ＰＳＤ）レベルの帯域レポート内に含まれることができ、そして、それは、アクセスターミナルに割り当てられるリソースで、サービスを提供しない基地局によって第１の干渉管理動作（例えば、Ｆ−ＦＯＳＩＣＨ（Forward Link Fast Other Sector Interference Channel）活動）の存在／不存在を示すことができる。送信ＰＳＤの変化を示すアクセスターミナルの中で、基地局は、レポートされたChanDiffの最小値を有するアクセスターミナルを選択できる。さらに、アクセスターミナルは、最も近い逆方向リンクの近傍に対応するChanDiffをレポートできる。さらに、基地局（例えば、リソースセットコレクションセレクタ３１４、３１８）は、そのように選択されたアクセスターミナルに割り当てられた１つのリソースセットを削除することができる。削除されたリソースセットと交換で、基地局（例えば、リソースセットコレクションセレクタ３１４、３１８．．．）は、基地局によって現在使用されていない全てのリソースセットの中で最小の干渉（例えば、IoT（Interference over Thermal））レベルを示すリソースセットを取り込むことができる。
【００５１】
他の例によれば、ChanDiffは、基地局３０２−３０４（例えば、リソースセットコレクションセレクタ３１４、３１８）によって計算されることができる。例えば、ChanDiffは、アクセスターミナルから取得さらるパイロットレポートに基づいて基地局によって生成されることができる。さらに、単に最も近い近傍ではなく１を越える近傍に関するChanDiffは、ChanDiffがパイロットレポートに基づく基地局によって決定される場合、考慮に入れられることができる。この例に従うと、ＯＳＩ情報の同等物は、アクセスターミナルからのフィードバックに基づくというよりも逆送で基地局間（例えば、基地局１  ３０２と基地局２  ３０４の間）で通信されることができる。したがって、基地局は、（例えば、逆送で取得されるＯＳＩ情報から決定されるような）ＯＳＩによって影響を受けるアクセスターミナルの中からChanDiffの最小値を有するアクセスターミナルを見分けることができる。さらに、ChanDiffの最小値を有するこのアクセスターミナルに割り当てられたリソースセットは削除されることができる。削除されるリソースセットと交換で、基地局（例えば、リソースセットコレクションセレクタ３１４、３１８）は、基地局によって現在使用されていない全てのリソースセットの中で最小の干渉を示すリソースセットを加算することができる。
【００５２】
逆方向リンクのメトリクスを利用する上記例に従って、分散計画に基づく順方向リンクは、基地局によって与えられたリソースセットの他の基地局にもたらされる逆方向リンクの干渉の合計を最小化できる。さらに、前述の逆方向リンクのメトリクスを利用する逆方向リンク計画は、支配的な干渉（interferer）を分離するのをこと助けることができる。
【００５３】
図４を参照すると、図は、無線通信環境中のリソースセット内での周波数ホッピングを使用するシステム４００である。システム４００は、基地局２０２及びアクセスターミナル４０２（例えば、図３のアクセスターミナル１  ３０６、図３のアクセスターミナル２  ３０８、図３のアクセスターミナル３  ３１０、図３のアクセスターミナル４  ３１２）を含む。１つの基地局及び１つのアクセスターミナルが描かれているかもしれないが、システム４００は、実質的に基地局２０２に類似するかなりの任意数の基地局及び／または実質的にアクセスターミナル４０２に類似するかなりの任意数のアクセスターミナルを含むことができると認識されるだろう。
【００５４】
基地局２０２は、この中で記述されているように、同期されたリソースセットデフィニション２０４、リソースセットコレクションセレクタ２０６及びスケジューラ２０８を含むことができる。例えば、スケジューラ２０８は、順方向リンク及び／または逆方向リンク通信に関するリソースセットコレクションセレクタ２０６によって組み立てられたコレクションからリソースセットを使用するためのアクセスターミナル４０２をスケジュールすることができる。スケジューラ２０８は、アクセスターミナル４０２によって使用されるようにスケジュールされたリソースセット内の周波数ホッピングを制御するイントラセット周波数ホッピングアサイナー（intra-set frequency hopping assigner）４０４をさらに含むことができる。例えば、イントラセット周波数ホッピングアサイナー４０４は、基地局特有のホッピングパターン（例えば、セル特有のホッピングパターン、セクタ特有のホッピングパターン）を、発生、使用の実行、関連する情報の流布をすることができる。さらに、アクセスターミナル４０２は、イントラセットホッピングアサイナー４０４によって生じさせられる基地局特有のホッピングパターンを利用できるイントラセット周波数ホッパー４０６を含むことができる。
【００５５】
システム４００に関して利用されるホッピングパターンは、干渉の多様性を提供することができる。さらに、ホッピングパターンは、基地局、セクタ、セルなどに対して特有かもしれない。したがって、異なる基地局、セクタ、セルなどに関するホッピングパターンを使用することにより、異なる時間帯に繰り返される干渉が緩和されることができる。対照的に、同じホッピングパターンが基地局、セクタ、セルなどの間で使用されれば、そのとき、衝突は長期にわたって存続することができる。
【００５６】
さらに、イントラセット周波数ホッピングアサイナー４０４は、１以上のリソースセットに含まれるリソース間のホッピングを抑制する間、与えられたリソースセッ内でなされる周波数ホッピングを制御できる。リソースセットは、いくつかのインターレースのサブ領域（例えばサブ帯域）のコレクションである。さらに、サブゾーンは物理的（ＰＨＹ）フレームを介した論理トーンのセットとして定義されている。従って、サブゾーンのサイズよりも小さい論理スペースでの次の（contiguous）割り当ては、サブゾーン内でホップできる。さらに、論理スペースは、チャネルノードのスペースとして定義されていることができる。さらに、サブ領域ホッピングは、基地局を介して同期されることができ、したがって、異なる基地局によって同じサブ領域が割り当てられたアクセスターミナルのセットは、異なるサブ領域が割り当てられたアクセスターミナルが非干渉であることができる間、お互いに干渉することができる。
【００５７】
図５に関して、図は、無線通信環境中での分散方法で適応的にリユースファクタを選択するシステム５００である。システム５００は、アクセスターミナル３０６−３１２と同様に基地局１  ３０２及び基地局２  ３０４を含む。各基地局３０２−３０４は、同期されたリソースセットデフィニション２０４、リソースセットコレクションセレクタ３１４、３１８それぞれ及びスケジューラ３１６それぞれを含むことができる。さらに、各基地局３０２−３０４は、リユースファクタオプティマイザーそれぞれを含むことができる（例えば、基地局１  ３０２はリユースファクタオプティマイザー１  ５０２を含み、基地局２  ３０４はリユースファクタオプティマイザー２  ５０４を含む）。
【００５８】
各リユースファクタオプティマイザー５０２−５０４は、そのそれぞれの基地局３０２−３０４に関して利用される最適なリユースファクタを選択できる。したがって、リユースファクタオプティマイザー１  ５０２は、基地局１  ３０２（例えば、リソースセットコレクションセレクタ１  ３１４）によって使用されるために第１のリユースファクタを識別でき、リユースファクタオプティマイザー２  ５０４は、基地局２  ３０４（例えば、リソースセットコレクションセレクタ２  ３１８）によって使用されるために第２のリユースファクタを識別できる。さらに、リユースファクタプログラム５０２−５０４は、適応的にそれぞれのリユースファクタを時間の関数として選択できる。
【００５９】
最適なリユースファクタは多くの態様に依存することができる。例えば、リユースファクタは、エッジユーザのパフォーマンスと容量削減の間で望まれるトレードオフに依存することができる。さらに、リユースファクタは、基地局のアンテナ特性だけでなく配備トポロジー及び密度にも基づくことができる。さらに、利用されるパフォーマンスメトリクスは最適なリユースファクタに影響することができる。
【００６０】
例によれば、リユースファクタオプティマイザー５０２−５０４は、近傍の基地局によってサービスを受けるアクセスターミナルで見られるＣ／Ｉ分散に基づくリユースファクタの選択に関するメトリクスを使用する（例えば、リユースファクタオプティマイザー１  ５０２はアクセスターミナル３  ３１０及びアクセスターミナル４  ３１２から取得された情報に関連するＣ／Ｉを使用することができ、リユースファクタオプティマイザー２  ５０４はアクセスターミナル１  ３０６及びアクセスターミナル２  ３０８から取得された情報に関連するＣ／Ｉを使用することができる。）。この例に従うと、後部のＣ／Ｉは、中間密度の中で使用されることができ、及び／または、配備を計画されることができる。さらなる例として、平均／中央  Ｃ／Ｉは、密度の高い計画されていない配備の中で使用されることができる。他の例に従って、ハイブリッドの基準は、例えば、もし平均／中央  Ｃ／Ｉが第１の閾値より低い、または、後部のＣ／Ｉが第２の閾値よりも低ければ、リユースファクタが低くなることができる、ように使用されることができる。
【００６１】
さらに、リユースファクタオプティマイザー５０２−５０４は、リユースファクタ選択を最適化するための順方向リンクのリソース特有のＣＱＩレポートを利用できる。例えば、すべてのリソースセットについては、基地局（例えば、リユースファクタオプティマイザー５０２、５０４）は、このリソースセットがサブセットの中で全てのアクセスターミナルにとって最もよいリソースセットであるようなこの基地局のアクティブセットの中で、サービスを受けないアクセスターミナルのサブセットの中で最も低いＣ／Ｉ値を計算できる。基地局は、そのアクティブセットの中でサービスを受けないアクセスターミナルからリソース特有のＣＱＩレポートに基づくＣ／Ｉを計算することができる。さらに、基地局は、もしそれが使用中であり、Ｃ／Ｉメトリクスが特定の閾値より低ければ、リソースセットを削除することができ、一方、基地局は、もしそれが使用中でなく、Ｃ／Ｉメトリクスが特定の閾値より高ければ、リソースセットを加算することができる。
【００６２】
異なる閾値は、基地局間の公平に影響する可能性があるので、実質的に類似するメトリクス及び閾値の方針が、ネットワークで異なる基地局によって一貫して使用されることができることは認識されるだろう。さらに、計画されていない配備は、低い中央値を有する緊密なＣ／Ｉ分散を生じさせることができ、したがって、パフォーマンスは、帯域幅対Ｃ／Ｉトレードオフにあまり敏感ではないかもしれない。
【００６３】
図６−７を参照すると、無線通信環境中での適応的な分散周波数計画が図示されている。説明の単純化の目的のために、方法論は一連の動作として示され及び記述される一方で、方法論は、１以上の実施形態に従って、ある動作が異なる順番及び／またはこの中で示され及び記述されるものから同時に他の動作が起きることができるように、動作の順番によって制限されるものではないことは理解され、そして認識されるだろう。例えば、当業者は、方法論が、状態遷移図のように、一連の相互に関連付けられた状態またはイベントとして代わりに表すことができると理解しそして認識するだろう。さらに、全ての図示された動作は、１以上の実施形態に従って方法論を実行するために要求されないかもしれない。
【００６４】
図６を参照すると、図は、無線通信環境中でのユーザ割り当てに関して使用するためのリソースの分散選択を容易にする方法論６００である。
【００６５】
６０２で、リソースセットのサブセットは、基地局特有のコレクションを形成するためにネットワークを介して一般に定義されている1セットの利用可能リソースセットからのメトリクスに基づいて選択されることができる。さらに、リソースセットは、長期にわたって基地局特有のコレクションに加算される及び／または取り除かれることができ、したがって、基地局特有のコレクションは適応的である。さらに、メトリクスは、順方向リンクのメトリクス及び／または逆方向リンクのメトリクス（例えば、順方向リンクのメトリクス、逆方向リンクのメトリクス、順方向及び逆方向リンクのメトリクスの組み合わせ）であることができる。
【００６６】
例えば、順方向リンクのメトリクスが利用されるとき、1以上のアクセスターミナルから受け取られたリソース特有のＣＱＩ（resource specific Channel Quality Indicator）レポートは基地局特有のコレクションを形成するリソースセットのサブセットを選択するために使用されることができる。
【００６７】
さらに、リソースセットは、順方向リンクのフラクショナル周波数リユース（forward link fractional frequency reuse）または逆方向リンクのフラクショナル周波数リユース（reverse link fractional frequency reuse）に関する搬送波対干渉波（Ｃ／Ｉ）の調和平均値を最大化する基準を使用する間、基地局特定コレクションに加算され及び／または取り除かれることができる。例として、長期間のＣ／Ｉの調和平均値は、そのようなリソースセット上でスケジュールされるアクセスターミナルで平均化される各リソースセットに関して決定されることができる。この例によると、最も高い長期間のＣ／Ｉの調和平均値を備えたリソースセットは、基地局特有のコレクションに加算されることができる。さらに、長期間のＣ／Ｉの調和平均値は、長期にわたって決定され続けることができ、そして、それは、基地局特有のコレクションに現在含まれている最も低いＣ／Ｉの調和平均値を有するリソースセットが、基地局特有のコレクションから現在除かれている最も高いＣ／Ｉの調和平均値を有するリソースセットにより基地局特有のコレクションで置き換えられることを許可することができる。
【００６８】
他の例によれば、逆方向リンクのメトリクスが使用されることができる。この例によると、（例えば、1以上のアクセスターミナルから取得されたパイロットレポートに基づいて基地局で発生される、少なくともChanDiffレポートの一部として１つ以上のアクセスターミナルから受け取られる）ChanDiff情報及び／または（例えば、1以上のアクセスターミナルから取得される、1以上の異なる基地局からの逆送を介して受け取られる）逆方向リンクの干渉コマンドに関連する情報は、基地局特有のコレクションを形成するリソースセットの一部を選択するために使用されることができる。逆方向リンクの干渉コマンドと関連する情報は、Ｆ−ＯＳＩＣＨ動作であることができるが、権利要求された内容は、そのように制限されていない。例えば、レポートされたChanDiffの最小値を有する特定のアクセスターミナルは、送信パワースペクトル密度（ＰＳＤ）の変化を示す１セットのアクセスターミナルの中から選択されることができる。その後、特定のアクセスターミナルに割り当てられたリソースセットは、基地局特有のコレクションから削除され、一方、基地局特有のコレクションから現在除かれているリソースセットの中で最小の干渉レベルを示すリソースセットは、基地局特有のコレクションに加算されることができる。
【００６９】
６０４で、基地局特有のコレクションからのリソースセットに含まれるリソースは、スケジュールされた送信に関してサービスを受けるアクセスターミナルに割り当てられることができる。例えば、リソースは、順方向リンク送信及び／または逆方向リンク送信に関連する使用に関して割り付けることができる。
【００７０】
図７を参照すると、図は、無線通信環境中での分散周波数計画を使用することを容易にする方法論７００である。７０２で、基地局に対応する最適なリユースファクタは、少なくとも１つの近傍の基地局と関連するサービスのレベルを考慮するメトリクスに基づいて決定されることができる。例えば、最適なリユースファクタは、順方向リンクのリソース特有のＣＱＩレポートに基づいて決定されることができる。さらに、リユースファクタの選択に冠するメトリクスは、少なくとも１つの近傍の基地局によってサービスを受けるアクセスターミナルで見られるC／I分散であることができる。例として、基地局のアクティブセットでのサービスを受けないアクセスターミナルの一部の中で最も低いＣ／I値は、各利用可能なリソースセットに関して決定されることができ、ここで、C／I値は、基地局のアクティブセットでのサービスを受けないアクセスターミナルからのリソース特有のＣＱＩレポートに基づいて発生されることができる。この例によると、もしリソースセットが使用され、Ｃ／Ｉメトリクスが基準閾値より低ければ、リユースファクタは減少されることができ、一方、もしリソースセットが使用されず、Ｃ／Ｉメトリクスが基準閾値より高ければ、リユースファクタは増加されることができる。
【００７１】
他の例によれば、最適なリユースファクタは、基地局によってサービスを受けるデータレートを考慮した基準に基づいて決定されることができる。基地局を介したリソースセットの与えられた分散で、全ての基地局は、例えば、中央または後部（例えばＸ％）のデータレートのような特定の共通な基準に従って最適化されることができることが仮定されることができる。基地局は、そのメトリクス（例えば、後部のデータレート、中央のデータレート）をその近隣のそれと比較することができる。基地局がそれは有利であると識別するイベントで、この基地局はリソースセットの削除を考慮することができる。さらに、もし基地局がそれは不利であると決定すれば、この基地局はリソースセットを加算される（例えば、取り込む）ことを考慮することができる。さらに、基地局は、リソースセット交換の全ての可能なケースに関するその近傍のメトリクスで予想された変化と同様に、そのメトリクスで予想された変化を計算することができる（例えば、もしそれが有利であれば、基地局は１つのリソースセットを削除し、もしそれが不利であれば、基地局は１つのリソースセットを取り込み、基地局は第1のリソースセットを第2のリソースセットに交換する）。基地局は、さらに、この交換に起因する異なる基地局のメトリクスの期待値に基づいたリソースセットの交換（例えば削除(drop)、取り込み(grab)、交換(swap)）を決めることができる。例えば、取り込み／削除決定が一方的であることができ、一方、交換決定が基地局間通信に基づいて遂行され得ると注目されることができる。さらに、もし取り込み／削除／交換決定が局所的に起これば、これらの決定は、分散計画とみなされることができる。
【００７２】
７０４で、ネットワークを介して一般に定義されている利用可能なリソースセットの部分は、基地局特定コレクションを形成するために選択されることができる。例えば、部分は、最適なリユースファクタに基づくことができる。７０６で、基地局特有のコレクションからのリソースセットに含まれるリソースは、スケジュールされた送信に関してサービスを受けるアクセスターミナルに割り当てられることができる。
【００７３】
７０８で、コレクションからの少なくとも１つのリソースセット内で割り当てられたリソースは、少なくとも１つのスケジュールされた送信に関する基地局特有のホッピングパターンを長期にわたって使用することで変えられることができる。さらに、各リソースセットは、ネットワークまたはその一部を介して同じ物理リソースにマップする装置であることができる。さらに、リソースセット内で、ネットワークを介した異なる基地局は、異なるホッピングパターン（例えば、各基地局に関するそれぞれのイントラリソースセット周波数ホッピングパターン）を使用できる。
【００７４】
この中で記述された１以上の態様に従って、推測（inference）は、無線通信環境中での適応的な分散周波数計画を使用することに関連してなされることができることは認識されるだろう。この中で使用されているように、用語「推測する(infer)」または「推測（inference）」は、イベント及び／またはデータを介して獲得されるように、1セットの観測からのユーザ、環境、及び／またはシステムの状態について、推論するまたは推測するためのプロセスに一般的に言及する。推測は、特有の状況または動作を確認するために使用されることができ、また、例えば、状態に関する確率分散を生成できる。推測は、確率的なもの、つまり、データ及びイベントの考慮に基づく関心の状態における確率分散の計算であることができる。推測は、さらに、1セットのイベント及び／またはデータからのより高いレベルのイベントを構成するために使用される技術に言及することができる。この推測は、イベントが一時的な近傍に密接に関連させられていようとなかろうと、及び、イベント及びデータが１または複数のイベント及びデータリソースによってもたらされるか否かにより、１セットの観察されたイベント及び／または格納されたイベントのデータからの新しいイベントまたは動作の構築を招く。
【００７５】
例によれば、１または上記の方法は、リソースセットの基地局特有のコレクションに加算される及び／または削除するためにリソースを決定することに関連する推測をすることを含むことができる。さらなる例として、推測は、近傍の基地局に関連するサービスのレベルの決定に関連してなされることができ、そして、それは、最適なリユースファクタの決定に関連しててこ入れされることができる。先の例は、本来の実例であり、そのような推測がこの中で記述されている様々な実施形態及び／または方法と共になされる用途、または、なされることができる推測数に限定することを意図していないことは認識されるだろう。
【００７６】
図８は、無線通信システムでのリソースセット内の周波数ホッピングを使用するアクセスターミナル８００の例である。アクセスターミナル８００は、例えば受信アンテナ（図示されない）から信号を受信し、典型的なアクション（例えば、フィルタする、増幅する、ダウンコンバートするなど）を受信した信号に行ない、サンプルを得るために条件つきの信号をデジタル化する。受信器８０２は、例えば、ＭＭＳＥ受信器であることができ、受信されたシンボルを復調することができ、チャネル推定のためのプロセッサ８０６にそれらを供給することができる復調器８０４を含むことができる。プロセッサ８０６は、受信器８０２により受信された情報の解析及び／または送信器８１６によって送信するための情報の生成に専念するプロセッサ、アクセスターミナル８００の１以上のコンポーネントを制御するプロセッサ、および／または、受信器８０２により受信される情報を分析し、送信器８１６によって送信するための情報を生成し、アクセスターミナル８００の１以上のコンポーネントを制御することを共にするプロセッサであることができる。
【００７７】
アクセスターミナル８００は、プロセッサ８０６に動作可能に接続され、送信されたデータ、受信データ、およびこの中で示される様々なアクション及び機能の実行に関連する任意の他の適切な情報を格納できるメモリ８０８をさらに含むことができる。メモリ８０８は、さらにプロトコル、及び／または、基地局への送信に関するレポートを発生すること及び／または基地局特有の周波数ホッピングパターンを実行することに関連するアルゴリズムを格納できる。
【００７８】
この中で記述されているデータストア（例えばメモリ８０８）は、揮発性メモリまたは不揮発性メモリのいずれかであることができ、または、揮発性及び不揮発性メモリの両方を含むことができる。例として、これには限定されないが、不揮発性メモリは、リードオンリーメモリ（ＲＯＭ）、プログラマブルＲＯＭ（ＰＲＯＭ）、エレクトリックプログラマブルＲＯＭ（ＥＰＲＯＭ）、エレクトリックイレーザブルＰＲＯＭ（ＥＥＰＲＯＭ）またはフラッシュメモリを含むことができる。揮発性メモリは、ランダムアクセスメモリ（ＲＡＭ）を含むことができ、それは外部キャッシュメモリとして動作する。例として、これに限られないが、ＲＡＭは、シンクロナスＲＡＭ(synchronous ＲＡＭ）（ＳＲＡＭ）、ダイナミックＲＡＭ(dynamic ＲＡＭ）（ＤＲＡＭ）、シンクロナスＤＲＡＭ(synchronous ＤＲＡＭ）（ＳＤＲＡＭ）、ダブルデータレートＳＤＲＡＭ(double data rate ＳＤＲＡＭ)（ＤＤＲSＤＲＡＭ)、エンハンストＳＤＲＡＭ(enhanced ＳＤＲＡＭ）（ＥＳＤＲＡＭ）、シンクリンクＤＲＡＭ(Synchlink ＤＲＡＭ）（ＳＬＤＲＡＭ）及びダイレクトラムバスＲＡＭ(direct Rambus ＲＡＭ）（ＤＲＲＡＭ）のような多くの形式で利用可能である。対象のシステム及び方法のメモリ８０８は、制限されずに、これら及び他のいずれの適切なメモリのタイプを備えることが意図される。
【００７９】
受信器８０２は、さらに、レポート発生器（report generator）８１０及び／またはイントラセット周波数ホッパー（intra-set frequency hopper）８１２と動作可能に接続される。レポート発生器８１０は、順方向リンク及び／または逆方向リンクに関連する、条件、パラメータなどを評価することができる。さらに、そのような評価に基づいて、レポート発生器８１０は、基地局に送信されることができるレポートをもたらすことができる。例えば、レポートは、リソース特有のＣＱＩレポートであることができる。さらなる例として、レポートは、ChanDiffレポート、送信パワースペクトル密度（ＰＳＤ）レベルの帯域内レポートなどであることができる。レポートは、この中で記述されるように、利用に関するリソースセットを適応的に選択し、最適なリユースファクタを決定するなどの対応する基地局によって使用されることができる。さらに、イントラセット周波数ホッパー８１２は、図４のイントラセット周波数ホッパー４０６に実質的に類似することができる。例えば、イントラセット周波数ホッパー８１２は、アクセスターミナル８００が基地局特有の周波数ホッパーパターンを実行することを有効にできる。さらに、この中で記述されるように周波数ホッピングは、リソースセットにわたるよりもリソースセット内で抑制することができる。したがって、もしアクセスターミナル８００が第1のリソースセットからのリソースを使用して順方向リンクを介してデータを受信するように割り当てられれば、（周波数ホッピングが異なるリソースセットからのリソースを使用することを許可するというよりも）イントラセット周波数ホッパー８１２は、周波数ホッピングが第1のリソースセット内のリソースを使用することを許可する基地局特有のパターンを抑制することができる。アクセスターミナル８００は、さらに、例えば、基地局、他のアクセスターミナルなどに信号を送信する送信器８１６及び変調器８１４を備える。プロセッサ８０６から分離されているように描かれているかもしれないが、レポート発生器８１０、イントラセット周波数ホッパー８１２及び／または変調器８１４は、多くのプロセッサ（図示されない）またはプロセッサ８０６の一部になることができることは認識されるだろう。
【００８０】
図９は、無線通信環境中での分散方法で使用するリソースセットの部分を適応的に決定することを容易にするシステム９００の例である。システム９００は、複数の受信アンテナ９０６を介して１以上のアクセスターミナル９０４から信号を受信する受信器９１０を有する基地局９０２（例えば、アクセスポイント）及び送信アンテナ９０８を介して１以上のアクセスターミナル９０４へ送信する送信器９２４を備える。受信器９１０は、受信アンテナ９０６から情報を受信することができ、受信された情報を復調する復調器９１２と動作可能に接続されている。復調されたシンボルは、図８に関して上記されたプロセッサに類似することができ、アクセスターミナル９０４（または異なる基地局（図示されない））、に送信または受信されるデータ、及び／またはこの中で示される様々な動作及び機能の動作に関連する任意の他の適切な情報も格納するメモリ９１６に接続されるプロセッサ９１４によって分析される。例えば、メモリ９１６は、この中で記述されるような同期されたリソースセットデフィニションを含むことができる。プロセッサ９１４は、基地局９０２によって使用されるためのリユースファクタを決定するリユースファクタオプティマイザー９１８にさらに接続される。基地局９０２に関して使用する最適なリユースファクタを認識するとき、リユースファクタオプティマイザー９１８は、近傍の基地局によって提供されるサービスのレベルを考慮でき、そして、それは、分散周波数計画を実行するネットワーク内の公平な考慮を提供できる。リユースファクタオプティマイザー９１８は、基地局９０２に特有のコレクションにリソースセットを加算される及び／または取り除くリソースセットコレクションセレクタ９２０に動作可能に接続されることができる。例えば、利用可能なリソースセット（例えば、同期されたリソースセット定義で示されるような利用可能なネットワークワイド）の全体の部分は、リユースファクタオプティマイザー９１８によって決定される最適なリユースファクタに基づくコレクションの包含に関して選択されることができる。さらに、リユースファクタ及び／または基地局９０２に特有のコレクションに関して選択されたリソースは、適応的に長期にわたって決定されることができる。リユースファクタオプティマイザー９１８は、図５のリユースファクタオプティマイザー１  ５０２及び／またはリユースファクタオプティマイザー２  ５０４と実質的に類似することができると検討される。さらに、リソースセットコレクションセレクタ９２０は図２のリソースセットコレクションセレクタ２０６に実質的に類似することができると認識されるだろう。さらに、リユースファクタオプティマイザー９１８及び／またはリソースセットコレクションセレクタ９２０は、モジュレータ９２２に各ＴＸアンテナ９０８によって送信されるデータを提供できる。モジュレータ９２２は、アンテナ９０８を介したアクセスターミナル９０４に対する送信器９２４による送信に関するフレームを多重化できる。プロセッサ９１４から分離されているように描かれているかもしれないが、リユースファクタオプティマイザー９１８、リソースセットコレクションセレクタ９２０及び／ま��はモジュレータ９２２は、多くのプロセッサ（図示されない）またはプロセッサ９１４の一部であることができることは認識されるだろう。
【００８１】
図１０は、無線通信システム１０００の例を示している。無線通信システム１０００は、簡潔さを目的として１つの基地局１０１０及び１つのアクセスターミナル１０５０を表す。しかしながら、システム１０００が１より多い基地局及び／または１より多いアクセスターミナルを含むことができ、ここで、追加の基地局及び／またはアクセスターミナルが下記の例の基地局１０１０及びアクセスターミナル１０５０と実質的に類似するまたは異なるだろうと認識されるだろう。さらに、基地局１０１０及び／またはアクセスターミナル１０５０が、そこの間で無線通信を容易にするためにこの中で記述される方法（図6−７）及び／またはシステム（図１−５、８−９及び１１）を使用することができることは認識されるだろう。
【００８２】
基地局１０１０で、多くのデータストリームに関するトラヒックデータは、データソース１０１２から送信（ＴＸ）データプロセッサ１０１４に供給される。例によれば、各データストリームは、それぞれのアンテナを介して送信されることができる。ＴＸデータプロセッサ１０１４は、符号化データを提供するそのデータストリームに関して選択された特定のコードスキーム（coding scheme）に基づくトラヒックデータストリームをフォーマットし、コード化し、インターリーブする。
【００８３】
各データストリームに関する符号化データは、直交周波数分割多重（ＯＦＤＭ）技術を使用したパイロットデータで多重化することができる。さらにまたは代わりとしては、パイロットシンボルは、周波数分割多重（ＦＤＭ）時分割多重（ＴＤＭ）または符号分割多重（ＣＤＭ）であることができる。パイロットデータは、既知の方法で処理される典型的な既知のパターンであり、チャネルレスポンスを評価するためにアクセスターミナル１０５０で使用されることができる。各データストリームに関する符号データ及び多重パイロットおよび符号化データは、変調シンボルを提供するそのデータストリームに関して選択される特定の変調スキーム（例えば二位相偏移変調（binary phase-shift keying）（ＢＰＳＫ）、４位相偏移変調（quadrature phase-shift keying）（ＱＰＳＫ）、Ｍ位相偏移変調(M-phase-shift keying)（Ｍ−ＰＳＫ）、Ｍ直交振幅変調(M-quadrature amplitude modulation)(Ｍ−ＱＡＭ)など）に基づいて変調されることができる（例えばシンボルマップされる）。各データストリームに関するデータ率、コード及び変調は、プロセッサ１０３０によって実行されまたは提供される命令によって決定されることができる。
【００８４】
データストリームに関する変調シンボルは、ＴＸ  ＭＩＭＯプロセッサ１０２０に提供されることができ、そして、それは、さらに変調シンボル（例えばＯＦＤＭのための）を処理することができる。その後、ＴＸ  ＭＩＭＯプロセッサ１０２０は、１０２２ｔを介してＮT個の送信器（ＴＭＴＲ）１０２２ａにＮT個の変調シンボルストリームを供給する。様々な実施形態では、ＴＸ  ＭＩＭＯプロセッサ１０２０は、データストリームのシンボル及びシンボルが送信されているアンテナにビームフォーミングウェイト（beamforming weight）を適用する。
【００８５】
各トランスミッタ１０２２は、１以上のアナログ信号を提供するためのそれぞれのシンボルストリームを受信及び処理し、そして、ＭＩＭＯチャネル上での送信用に適した変調された信号を提供するためにアナログ信号を調整する（例えば、増幅する、フィルタする、アップコンバータする）。さらに、１０２２ｔを介した送信器１０２２ａからのＮT個の変調信号（ＮT modulated signals）は、１０２４ｔを介してそれぞれＮT個のアンテナ１０２４ａから送信される。
【００８６】
アクセスターミナル１０５０で、送信された変調信号は、１０５２ｒを介してＮＲ個のアンテナ１０５２ａによって受信され、そして、各アンテナ１０５２からの受信信号は、１０５４ｒを介してそれぞれの受信器（ＲＣＶＲ）１０５４ａに提供される。各受信器１０５４は、それぞれの信号を調整し（例えば、フィルタする、増幅する及びダウンコンバートする）、サンプルを提供するために調整された信号をデジタル化し、そして、さらに対応する「受信」シンボルストリームを提供するためにサンプルを処理する。
【００８７】
ＲＸデータプロセッサ１０６０は、ＮT「検出」シンボルストリームを提供するために特定の受信器処理技術に基づくＮＲ個の受信器１０５４からＮＲ個の受信シンボルストリームを受信及び処理できる。ＲＸデータプロセッサ１０６０は、データストリームに関するトラヒックデータを回復するために各検出シンボルストリームを復調、非インターリーブ及びデコードできる。ＲＸデータプロセッサ１０６０による処理は、基地局１０１０でＴＸ  ＭＩＭＯプロセッサ１０２０及びＴＸデータプロセッサ１０１４によって実行されるそれに補完的である。
【００８８】
プロセッサ１０７０は、利用可能な技術を上記のように利用するかどうか周期的に決定できる。さらに、プロセッサ１０７０は、マトリックスインデックス部分（matrix index portion）及びランク値部分（rank value portion）を備える逆方向リンクメッセージを公式化できる。
【００８９】
逆方向リンクメッセージは、通信リンク及び／または受信データストリームに関する様々なタイプの情報を備えることができる。逆方向リンクメッセージは、データソース１０３６から多くのデータストリームに関するトラヒックデータをさらに受信するＴＸデータプロセッサ１０３８によって処理され、変調器１０８０によって変調され、１０４４ｒを介して送信器１０５４ａによって調整され、そして基地局１０１０に送信し返すことができる。
【００９０】
基地局１０１０で、アクセスターミナル１０５０からの変調信号は、アンテナ１０２４によって受信され、受信器１０２２によって調整され、復調器１０４０によって復調され、そしてアクセスターミナル１０５０によって送信された逆方向リンクメッセージを抽出するためにＲＸデータプロセッサ１０４２によって処理される。さらに、プロセッサ１０３０は、ビームフォーミングウェイトを決定するためにプレコーディングマトリックス（precoding matrix）を使用するかどうか決定する抽出されたメッセージを処理できる。
【００９１】
プロセッサ１０３０及び１０７０は、基地局１０１０及びアクセスターミナル１０５０それぞれで動作を（例えば、制御する、調整する、管理するなど）指示できる。プロセッサ１０３０及び１０７０それぞれは、プログラムコード及びデータを格納するメモリ１０３２及び１０７２に接続されることができる。プロセッサ１０３０及び１０７０は、さらに、上りリンク及び下りリンクそれぞれに関する周波数及びインパルス応答の評価を引き出すためにそれぞれ計算できる。
【００９２】
態様では、論理チャネルは、制御チャネル及びトラヒックチャネルに分類される。論理制御チャネルは、放送制御チャネル（Broadcast Control Channel）（ＢＣＣＨ）を含むことができ、そして、それは、放送システム制御情報に関するＤＬチャネルである。さらに、論理制御チャネルは、ページング制御チャネル（Paging Control Channel）（ＰＣＣＨ）を含むことができ、それはページング情報を転送するＤＬチャネルである。さらに、論理制御チャネルは、マルチキャスト制御チャネル（Multicast Control Channel）（ＭＣＣＨ）を備えることができ、それは、マルチメディア放送及びマルチキャストサービス（ＭＢＭＳ）スケジューリング、及び１または複数のＭＴＣＨに関する制御情報の送信に使われるポイントツーマルチポイントDＬチャネル（Point-to-multipoint DL channel）である。一般に、無線リソース制御（Radio Resource Control）（ＲＲＣ）接続を確立した後、このチャネルは、単にＭＢＭＳ（例えば古いＭＣＣＨ＋ＭＳＣＨ）を受信するＵＥによって使用される。さらに、論理制御チャネルは、個別制御チャネル（Dedicated Control Channel）（ＤＣＣＨ）を含むことができ、そして、それは、個別制御情報を送信するポイントツーポイント双方向チャネルであり、ＲＲＣ接続を有するＵＥによって使用されることができる。態様では、論理トラヒックチャネルは、個別トラヒックチャネル（Dedicated Traffic Channel）（ＤＴＣＨ）を含むことができ、それは、ユーザ情報の転送用の１つのＵＥに専念されたポイントツーポイント双方向チャネルである。さらに、論理トラヒックチャネルは、トラヒックデータを送信するためにポイントツーマルチメディアＤＬチャネルに関するマルチキャストトラヒックチャネル（Multicast Traffic Channel）（ＭＴＣＨ）を含むことができる。
【００９３】
態様では、トランスポートチャネルは、ＤＬとＵＬに分類される。ＤＬトランスポートチャネルは、放送チャネル（ＢＣＨ）、下りリンク共有データチャネル（Downlink Shared Data Channel）（ＤＬ−ＳＤＣＨ）及びページングチャネル（ＰＣＨ）を備える。ＰＣＨは、全セル上で放送され及び他の制御／トラヒックチャネルに関して使用されることができる物理層（ＰＨＹ）リソースにマップされるＵＥ省電力（例えば、不連続受信（ＤＲＸ）サイクルはＵＥに対するネットワークによって示されることができる）をサポートすることができる。ＵＬ  トランスポートチャネルは、ランダムアクセスチャネル（ＲＡＣＨ）、リクエストチャネル（ＲＷＱＣＨ）、上りリンク共有データチャネル（Uplink Shared Data Channel）（ＵＬ−ＳＤＣＨ）及び複数のＰＨＹチャンネルを含むことができる。
【００９４】
ＰＨＹチャンネルは、１セットのＤＬチャンネル及びＵＬチャンネルを含むことができる。例えば、ＤＬ  ＰＨＹチャンネルは、共通パイロットチャネル（Common Pilot Channel）（ＣＰＩＣＨ）、同期チャネル（Synchronization Channel）（ＳＣＨ）、共通制御チャネル（Common Control Channel）（ＣＣＣＨ）、共有ＤＬチャネル（Shared DL Control Channel）（ＳＤＣＣＨ）、マルチキャスト制御チャネル（Multicast Control Channel）（ＭＣＣＨ）、共有ＵＬ割り当てチャネル（Shared UL Assignment Channel）（ＳＵＡＣＨ）、承認チャネル（Acknowledgement Channel）（ＡＣＫＣＨ）、ＤＬ物理共有データチャネル（DL Physical Shared Data Channel）（ＤＬ−ＰＳＤＣＨ）、ＵＬパワー制御チャネル（UL Ｐｏｗｅｒ Control Channel）（ＵＰＣＣＨ）、ページング指示チャネル（Paging Indicator Channel）（ＰＩＣＨ）及び／または負荷指示チャネル（Load Indicator Channel）（ＬＩＣＨ）.を含むことができる。さらなる例として、ＵＬ  ＰＨＹチャネルは、物理ランダムアクセスチャネル（Physical Random Access Channel）(PRACH)、チャネル品質指示チャネル（Channel Quality Indicator Channel）（ＣＱＩＣＨ）、承認チャネル（Acknowledgement Channel）（ＡＣＫＣＨ）、アンテナ部分指示チャネル（Antenna Subset Indicator Channel）（ＡＳＩＣＨ）、共有要求チャネル（Shared Request Channel）（ＳＲＥＱＣＨ）、ＵＬ物理共有データチャネル（UL Physical Shared Data Channel）（ＵＬ−ＰＳＤＣＨ）及び／または放送パイロットチャネル（Broadband Pilot Channel）（ＢＰＩＣＨ）を含むことができる。
【００９５】
この中で記述されている実施形態は、ハードウェア、ソフトウェア、ファームウェア、ミドルウェア、マイクロコードまたはこれらの任意の組み合わせで実行されることができることは理解されるだろう。ハードウェア実現に関して、処理ユニットは、１以上の特定用途向け集積回路（ＡＳＩＣ）、デジタル信号プロセッサ（ＤＳＰ）、デジタル信号処理装置（ＤＳＰＤ）、プログラマブル論理デバイス（ＰＬＤ）、フィールドプログラムゲートアレイ（ＦＰＧＡ）、プロセッサ、コントローラ、マイクロコントローラ、マイクロプロセッサ、この中で記述された機能を実行するために設計された他の電子ユニットまたはこれらの組み合わせの中で実行されることができる。
【００９６】
実施形態がソフトウェア、ファームウェア、ミドルウェアまたはマイクロコード、プログラムコードまたはコードセグメントで実行されるとき、それらは、記憶コンポーネントのような機械可読媒体に格納されることができる。コードセグメントは、手順、関数、サブプログラム、プログラム、ルーチン、サブルーチン、モジュール、ソフトウェアパッケージ、クラス、または、命令、データ構造またはプログラム記述の任意の組み合わせを表わすことができる。コードセグメントは、通過及び／または受信情報、データ、引数、パラメータまたはメモリコンテンツによって他のコードセグメントまたはハードウェア回路につながれることができる。情報、引数（arguments）、パラメータ、データなどは、メモリ共有、メッセージパス、トークンパス、ネットワーク送信などを含む任意の適切な手段を使用して通過、転送または送信されることができる。
【００９７】
ソフトウェア実現に関して、この中で記述された技術は、この中で記述された機能を実行するモジュール（例えば手順、機能など）で実行されることができる。ソフトウェアコードは、メモリユニットに格納され、プロセッサによって実行されることができる。メモリユニットは、プロセッサ内またはプロセセッサの外部で実行されることができ、この場合、それは技術的に知られた様々な手段を介してプロセッサに通信可能につながれることができる。
【００９８】
図１１を参照すると、図は、無線通信環境中で利用するためのリソースセットのサブセットを適応的に選択することを可能にするシステム１１００である。例えば、システム１１００は、少なくとも部分的に基地局内に存在することができる。システム１１００は、プロセッサによって実行される機能を表す機能ブロックとなることができる機能ブロック、ソフトウェアまたはこれらの組み合わせ（例えばファームウェア）を含むように表わされることは認識されるだろう。システム１１００は、同時に動作することができる電子コンポーネントの論理グループ１１０２を含む。例えば、論理グループ１１０２は、少なくとも１つの近傍の基地局に関連するサービスのレベルに基づいたメトリクスの関数として、基地局に関する最適なリユースファクタを識別するための電子コンポーネント１１０４を含むことができる。さらに、論理グループ１１０２は、基地局特有のコレクションを形成するためにネットワークを介して一般に定義されている利用可能なリソースセットの部分を選択するための電子コンポーネント１１０６を含むことができ、ここで、部分は、最適なリユースファクタに基づくことができる。さらに、論理グループ１１０２は、基地局特有のコレクションからのリソースセットに含まれるリソースを、サービスを受けるアクセスターミナルへ割り当てるための電子コンポーネント１１０８を含むことができる。さらに、システム１１００は、電子コンポーネント１１０４、１１０６及び１１０８に関連する機能を実行するための命令を保持するメモリ１１１０を含むことができる。メモリ１１１０の外部であるとして示されたが、１以上の電子コンポーネント１１０４、１１０６及び１１０８がメモリ１１１０内に存在することができることは理解されるだろう。
【００９９】
上記されたことは、１以上の実施形態の例を含む。もちろん、先の実施形態について記述する目的に関して構成要素（component）または方法論のすべての考えられる組み合わせを記述することは可能ではないが、当業者は、多くのさらなる組み合わせ及び様々な実施形態の置き換えが可能であることを認識できるだろう。したがって、記述された実施形態は、添付された請求項のスピリット及び目的の範囲内にある全てのそのような変更、改良及び変化を包含することを意図される。さらに、用語「含む（include）」が詳細な説明または請求項のいずれかで使用される範囲で、そのような用語は、請求項で暫定の用語として使用されるときに「備える（comprising）」が解釈されるように、用語「備える」と似た用途で包括的になるように意図される。
【図１】
2010531580.tif 000003
【図２】
2010531580.tif 000004
【図３】
2010531580.tif 000005
【図４】
2010531580.tif 000006
【図５】
2010531580.tif 000007
【図６】
2010531580.tif 000008
【図７】
2010531580.tif 000009
【図８】
2010531580.tif 000010
【図９】
2010531580.tif 000011
【図１０】
2010531580.tif 000012
【図１１】
2010531580.tif 000013
【国際調査報告】
2010531580.tif 000014
2010531580.tif 000015
2010531580.tif 000016